(57)【特許請求の範囲】
【請求項１】
第１のワイヤレス端末を動作させる方法であって、
ワイドエリアネットワークアップリンク通信チャネルを介して、第１の基地局に、ピアツーピア通信発見支援を要求する要求を送ることと、ここで、前記要求は、前記第１のワイヤレス端末が検出しようとしているピアツーピア通信発見情報を識別する情報と、前記ピアツーピア通信発見情報について監視されるべき発見チャネルの部分を示す情報と、を含み、
前記第１の基地局から前記要求を受信した、前記第１の基地局とは異なる基地局である第２の基地局から、ワイドエリアネットワークダウンリンク通信チャネルを介して、前記ピアツーピア通信発見情報の検出を示す前記要求に対する応答を受信することと、
前記ピアツーピア通信発見情報の検出を示した前記第２の基地局によって第２のワイヤレス端末のページングを開始するための信号を送ることと、
を備える、方法。
【請求項２】
前記応答が、第２のワイヤレス端末に対応するロケーション情報を含み、前記ロケーション情報は、インフラストラクチャ要素によって決定される、前記第２のワイヤレス端末のロケーションを示す、請求項１に記載の方法。
【請求項３】
前記要求が、前記第１のワイヤレス端末を識別する情報をさらに含み、前記情報が、前記第１のワイヤレス端末に応答を送る際に使用され得るデバイス識別子を含む、請求項２に記載の方法。
【請求項４】
前記ピアツーピア通信発見情報が、ピアデバイス発見情報およびサービス発見情報のうちの１つである、請求項２に記載の方法。
【請求項５】
前記第２の基地局は、前記第１の基地局を介して前記第１のワイヤレス端末と通信する基地局である、請求項１に記載の方法。
【請求項６】
前記応答が、前記ピアツーピア通信発見情報を検出した基地局を識別する、および前記ピアツーピア通信発見情報を通信する検出された発見信号の強度を示す信号強度情報をさらに含む、
請求項２に記載の方法。
【請求項７】
前記受信された応答から、前記ピアツーピア通信発見情報を通信する検出された発見信号を送信した前記第２のワイヤレス端末の近似のロケーションを決定すること
をさらに備える、請求項６に記載の方法。
【請求項８】
前記第１および第２のワイヤレス端末が直接デバイスツーデバイス通信をサポートし、前記第２の基地局によって前記第２のワイヤレス端末のページングを開始するための信号を送ることが、基地局支援型ページング動作を開始するために前記第１の基地局に前記第２のワイヤレス端末のページングを開始するための信号を送ることを含む、請求項７に記載の方法。
【請求項９】
第１のワイヤレス端末であって、
ワイドエリアネットワークアップリンク通信チャネルを介して、第１の基地局に、ピアツーピア通信発見支援を要求する要求を送るための手段と、ここで、前記要求は、前記第１のワイヤレス端末が検出しようとしているピアツーピア通信発見情報を識別する情報と、前記ピアツーピア通信発見情報について監視されるべき発見チャネルの部分を示す情報と、を含み、
前記第１の基地局から前記要求を受信した、前記第１の基地局とは異なる基地局である第２の基地局から、ワイドエリアネットワークダウンリンク通信チャネルを介して、前記ピアツーピア通信発見情報の検出を示す前記要求に対する応答を受信するための手段と、
前記ピアツーピア通信発見情報の検出を示した前記第２の基地局によって第２のワイヤレス端末のページングを開始するための信号を送るための手段と、
を備える、第１のワイヤレス端末。
【請求項１０】
前記要求を生成するための手段をさらに備え、
前記応答が、第２のワイヤレス端末に対応するロケーション情報を含み、前記ロケーション情報は、インフラストラクチャ要素によって決定される、前記第２のワイヤレス端末のロケーションを示す
請求項９に記載の第１のワイヤレス端末。
【請求項１１】
前記要求を生成するための前記手段が、前記第１のワイヤレス端末を識別する情報を前記要求中に含めるための手段をさらに含み、前記情報が、前記第１のワイヤレス端末に応答を送る際に使用され得るデバイス識別子を含む、請求項１０に記載の第１のワイヤレス端末。
【請求項１２】
前記第２の基地局は、前記第１の基地局を介して前記第１のワイヤレス端末と通信する基地局である、請求項９に記載の第１のワイヤレス端末。
【請求項１３】
前記応答が、前記ピアツーピア通信発見情報を検出した基地局を識別する、および前記ピアツーピア通信発見情報を通信する検出された発見信号の強度を示す信号強度情報をさらに含む、請求項１０に記載の第１のワイヤレス端末。
【請求項１４】
前記受信された応答から、前記ピアツーピア通信発見情報を通信する検出された発見信号を送信した前記第２のワイヤレス端末の近似のロケーションを決定するための手段
をさらに備える、請求項１３に記載の第１のワイヤレス端末。
【請求項１５】
前記第１および第２のワイヤレス端末が直接デバイスツーデバイス通信をサポートし、前記第２の基地局によって前記第２のワイヤレス端末のページングを開始するための信号を送ることが、基地局支援型ページング動作を開始するために前記第１の基地局に前記信号を送る、請求項１４に記載の第１のワイヤレス端末。
【請求項１６】
第１のワイヤレス端末であって、
ワイドエリアネットワークアップリンク通信チャネルを介して、第１の基地局に、ピアツーピア通信発見支援を要求する要求を送ることと、ここで、前記要求は、前記第１のワイヤレス端末が検出しようとしているピアツーピア通信発見情報を識別する情報と、前記ピアツーピア通信発見情報について監視されるべき発見チャネルの部分を示す情報と、を含み、
前記第１の基地局から前記要求を受信した、前記第１の基地局とは異なる基地局である第２の基地局から、ワイドエリアネットワークダウンリンク通信チャネルを介して、前記ピアツーピア通信発見情報の検出を示す前記要求に対する応答を受信することと、
前記ピアツーピア通信発見情報の検出を示した前記第２の基地局によって第２のワイヤレス端末のページングを開始するための信号を送ることと、
を行うように構成された少なくとも１つのプロセッサと、
前記少なくとも１つのプロセッサに結合されたメモリと
を備える、第１のワイヤレス端末。
【請求項１７】
前記応答が、前記ピアツーピア通信発見情報を検出した基地局を識別する、および前記ピアツーピア通信発見情報を通信する検出された発見信号の強度を示す信号強度情報をさらに含む、
請求項１６に記載の第１のワイヤレス端末。
【請求項１８】
前記少なくとも１つのプロセッサが、
前記受信された応答から、前記ピアツーピア通信発見情報を通信する検出された発見信号を送信した前記第２のワイヤレス端末の近似のロケーションを決定すること
を行うようにさらに構成された、請求項１７に記載の第１のワイヤレス端末。
【請求項１９】
前記第１および第２のワイヤレス端末が直接デバイスツーデバイス通信をサポートし、前記少なくとも１つのプロセッサが、
前記第２の基地局によって前記第２のワイヤレス端末のページングを開始するための信号を送るように構成されていることの一部として、基地局支援型ページング動作を開始するために、前記第１の基地局に、前記第２のワイヤレス端末のページングを開始するための前記信号を送ることを行うようにさらに構成された、請求項１８に記載の第１のワイヤレス端末。
【請求項２０】
少なくとも１つのコンピュータに、ワイドエリアネットワークアップリンク通信チャネルを介して、第１の基地局に、ピアツーピア通信発見支援を要求する要求を送ることを行わせるためのコードと、ここで、前記要求は、第１のワイヤレス端末が検出しようとしているピアツーピア通信発見情報を識別する情報と、前記ピアツーピア通信発見情報について監視されるべき発見チャネルの部分を示す情報と、を含み、
前記少なくとも１つのコンピュータに、前記第１の基地局から前記要求を受信した、前記第１の基地局とは異なる基地局である第２の基地局から、ワイドエリアネットワークダウンリンク通信チャネルを介して、前記ピアツーピア通信発見情報の検出を示す前記要求に対する応答を受信することを行わせるためのコードと、
前記少なくとも１つのコンピュータに、前記ピアツーピア通信発見情報の検出を示した前記第２の基地局によって第２のワイヤレス端末のページングを開始するための信号を送ることを行わせるためのコードと、
を備えるコンピュータプログラムを記憶したコンピュータ可読記憶媒体。
【発明の詳細な説明】
【技術分野】
【０００１】
[0001]様々な実施形態は、ワイヤレス通信の方法および装置に関し、より詳細には、インフラストラクチャ、たとえば基地局、支援型のピアツーピア発見動作、たとえば、ピアツーピア対応デバイスの代わりのピアツーピア発見信号の検出、を容易にするワイヤレス通信の方法および装置に関する。
【背景技術】
【０００２】
[0002]ロングタームエボリューションを表すＬＴＥは、第３世代パートナーシッププロジェクト（３ＧＰＰ：3rd Generation Partnership Project）によって開発された規格に基づく。ＬＴＥ準拠システムは、ピアツーピアデバイス、たとえば、ＬＴＥピアユーザ機器デバイス（ＵＥ）が、共通発見チャネルをリッスンすることを介して互いのアプリケーションまたはサービス識別子アナウンスメント（service identifier announcements）を発見することを可能にする。２つのＵＥ間の距離がある特定の範囲よりも大きくなるとき、または、アナウンシングＵＥ（announcing UE）と呼ばれることのある、発見情報をアナウンスしているＵＥと、発見情報を監視しており、発見情報を検出しようとする監視ＵＥ（monitoring UE）との間の電波の伝播が、悪いチャネル条件に起因して弱まるとき、監視ＵＥは、アナウンシングＵＥを見失うことになる。
【０００３】
[0003]アナウンシングＵＥのロケーションを知らなければ、アナウンシングＵＥにサービスするインフラストラクチャ基地局（ｅノードＢ）に接触することは困難である。これは、現在のＬＴＥシステムでは、インフラストラクチャ／システムが、アナウンシングＵＥのサービス／アプリケーション識別子を追跡しないからである。したがって、監視ＵＥ、およびそれのサービングｅノードＢは、アナウンシングＵＥが監視ＵＥの近傍範囲内にあり得るにもかかわらず、ｅノードＢを通じてアナウンシングＵＥに到達するための正しいルート／経路を決定することができない。
【０００４】
[0004]ＵＥは、ピアツーピア目的でＵＥがアドバタイズ（advertising）しているサービス／アプリケーション識別子に関して、ＷＡＮシグナリングを介して、インフラストラクチャ要素に情報をルーチン的に与えるように要求され得、その結果、ＬＴＥインフラストラクチャは、万一ＵＥがインフラストラクチャ要素にそのような情報を要求した場合に、様々なＵＥのロケーションと、それらのＵＥがアドバタイズしているサービス／アプリケーション識別子とに気づいており、それにより、そのような情報をインフラストラクチャ要素にとってすぐに利用可能なものにする。しかしながら、そのような手法は、ＵＥに、「アイドル」モードから頻繁に出て、ＬＴＥ  ＷＡＮ接続を頻繁に立ち上げて、情報を更新することを要求し、これは、ＵＥのバッテリー寿命に悪影響を及ぼす。したがって、ＵＥがピアツーピア、たとえば直接のデバイスツーデバイスの、チャネルを通じてアドバタイズしているアプリケーションおよび／またはサービス識別子に関する情報を、ＷＡＮ接続を介して登録するようにＵＥに要求することは、電力消費の見地から、ならびにＷＡＮを介してデータを通信するために他のデバイスによって使用され得るＷＡＮ通信リソースを消費することの見地から、望ましくないことがあることを理解されたい。
【０００５】
[0005]上記の説明に鑑みて、アドバタイズされるべき識別子をインフラストラクチャ要素に登録するようにアドバタイジング（advertising）ピアツーピアデバイスに要求することなしに、基地局などのインフラストラクチャ要素がピア発見を支援することを可能にする、方法および装置の必要があることを理解されたい。
【発明の概要】
【０００６】
[0006]インフラストラクチャ、たとえば基地局、支援型のピアツーピア発見動作、たとえば、ピアツーピア対応デバイスの代わりのピアツーピア発見信号の検出を容易にする方法および装置。
【０００７】
[0007]ピアツーピア通信デバイスと、ピア発見チャネル上でそのようなデバイスによって送信される、たとえばアドバタイズ（advertise）される、発見情報との、改善された監視および／または追跡のための方法および装置について説明する。
【０００８】
[0008]様々な実施形態では、ワイヤレス端末、たとえばＵＥが、それが検出しようとしている様々なピア発見情報をインフラストラクチャ要素、たとえばｅノードＢなどの基地局に通知（inform）する。ワイヤレス端末は、いくつかの実施形態では、ワイドエリアネットワークアップリンク通信チャネルを介して、ピアツーピア通信発見支援を要求するメッセージを、ワイヤレス端末ネットワークアタッチメントポイントとして働く基地局に送ることによって、これを行う。要求メッセージは、たとえば、要求側ワイヤレス端末を識別する情報、監視されるべき１つまたは複数のピアツーピア発見チャネル、および１つまたは複数のチャネルのどの部分が監視されるべきかを示す情報、を含み得る。要求メッセージは、また、ワイヤレス端末が発見しようとする１つまたは複数のエクスプレッション（expressions）も含む。それらのエクスプレッションは、たとえば、ピアデバイス識別子、サービス識別子および／またはユーザ識別子であり得る。サービス識別子は、たとえば、デバイスによって提供されているサービスを示す。サービス識別子は、それらが、ピアツーピアデバイスが別のピアデバイスを介して利用可能なサービスを発見することを可能にする情報を与えるので、サービス発見情報と呼ばれることがある。デバイス識別子および／またはユーザ識別子は、それらが、ピアデバイスおよび／またはピアデバイスのユーザに関する情報を与えるので、ピアデバイス発見情報と呼ばれることがある。
【０００９】
[0009]ピアツーピア発見支援についての要求を受信する基地局、たとえばサービング基地局が、監視されるべき発見チャネル部分、検出されるべきエクスプレッション、発見支援を求めるデバイスの識別子など、その要求中に含まれる情報を記憶する。基地局は、さらに、続いて、要求された識別子を検出するために１つまたは複数の示されたピアツーピア発見チャネル部分を監視する。要求を受信した基地局はまた、それを近隣基地局に転送し得、近隣基地局は、要求を受信した基地局のように、そのチャネル上で、関心のある発見情報、たとえば、要求メッセージにおいて示された識別子を検出しようと試みて、１つまたは複数の示されたピアツーピアチャネル部分を監視することになる。
【００１０】
[0010]監視されるべきであった識別子または他の発見情報を検出する基地局が、検出された情報を通信する信号の信号強度を測定する。関心のある発見情報を検出する基地局は、たとえば、ＷＡＮ通信チャネルを介して、関心情報の検出、その情報、たとえば、検出された１つまたは複数の識別子、および検出された関心情報を通信する信号の受信信号強度を示すメッセージを、ワイヤレス端末に返送する。その情報は、ピアツーピア発見支援を要求したワイヤレス端末にユニキャストメッセージの形態で送られ得る。そのメッセージは、検出基地局からワイヤレス端末に直接送信され得るが、また、検出動作がワイヤレス端末のサービング基地局以外の基地局によって実行されるとき、ワイヤレス端末のネットワークアタッチメントポイントとして働く基地局を通しても通信され得る。検出情報を与えるメッセージは、特定の示された識別子を検出した基地局を識別し得る。
【００１１】
[0011]いくつかの実施形態では、サービング基地局は、関心情報を検出した近くのマルチプルな基地局からの情報を組み合わせ、その検出情報を単一のメッセージにおいてワイヤレス端末に送る。少なくともいくつかのそのような実施形態では、関心情報と、対応する受信信号強度とを検出した特定の個々の基地局を識別する個々の情報が与えられる。
【００１２】
[0012]どの１つまたは複数の基地局が関心ピアツーピア発見情報を検出したかに関する情報を使用して、ワイヤレス端末が、システム内の関心ピアワイヤレス端末のロケーションを決定し、また、それがブロードキャストしていた発見情報についてある程度のアイデアを有することができるが、それらの信号は、ピアツーピア発見支援についての要求を発行したワイヤレス端末によって直接受信されることが可能ではないことがある。
【００１３】
[0013]１つまたは複数のピアツーピアチャネルを監視する基地局は、いくつかの実施形態では、支援についての要求がなければ、そのようなチャネルを監視しない。しかしながら、いくつかの他の実施形態では、基地局はピアツーピア通信チャネルを監視し得る。
【００１４】
[0014]本発明の方法および装置は、ピアツーピアデバイスが、ピア発見情報を送信するデバイスがＷＡＮチャネル上で基地局と対話する必要なしに、１つまたは複数の基地局からピアツーピア発見支援を取得することを可能にする。
【００１５】
[0015]必ずしもすべてではないがいくつかの実施形態では、ピアツーピア発見支援要求、たとえばスヌーピング要求、を受信することと、ピア発見検出結果の送信とのためのＷＡＮチャネルの使用は、ピアツーピア通信チャネル上で送信するようにインフラストラクチャ要素に要求することなしに、基地局が、ピアツーピア通信とインフラストラクチャデバイスに関与するＷＡＮネットワーク通信との両方をサポートすることが可能なワイヤレス端末にピアツーピア発見支援を提供することを可能にする。
【００１６】
[0016]したがって、様々な実施形態では、通信デバイス、たとえば監視ＵＥが、エクスプレッション監視能力を向上させるために、基地局、たとえば、ｅノードＢからの支援を要求することができる。この手法は、直接デバイスツーデバイス発見のために使用される共通発見チャネルにおける余分の送信を必要としない。
【００１７】
[0017]必ずしもすべてではないがいくつかの例示的な実施形態における様々な特徴は、ＬＴＥとともに使用するのに特に適している。必ずしもすべてではないがいくつかの例示的な実施形態は、周囲の基地局（ｅノードＢ）、ならびに要求側ＵＥに直接サービスする基地局を含むように、要求側ＵＥに代わって実行される監視機能を拡張することによって、ＬＴＥ−Ｄｉｒｅｃｔ発見チャネルを使用して発見の信頼性を改善する。したがって、いくつかの実施形態の１つの特徴によれば、近くのｅノードＢが、監視ＵＥの要求に応答して共通発見チャネルをスヌープ（リッスン）する。このようにして、アナウンシングＵＥに近い１つまたは複数の基地局（ｅノードＢ）が、ピアツーピア発見情報を送信したアナウンシングＵＥを発見することが可能であり得る。いくつかの実施形態の１つの特徴によれば、指定された発見情報を検出する基地局は、前記ピアツーピア通信発見情報の検出を示す応答を、監視ＵＥに、および／または監視ＵＥにサービスする基地局に、送る。
【００１８】
[0018]監視ＵＥは、デバイスが発見チャネル上で送信する発見情報に基づいて、デバイスおよび／またはそれが送信するエクスプレッションを追跡し続けるために、このプロシージャを１回または複数回呼び出すことができる。デバイスによって送信されるエクスプレッションは、アプリケーションエクスプレッション、サービスエクスプレッション、デバイス識別子エクスプレッションなどであり得る。基地局（ｅノードＢ）は、アナウンシングＵＥが監視ＵＥの直接発見範囲外にあるときでも、アナウンシングＵＥによって送信されたエクスプレッションを検出することができる。いくつかの実施形態では、１つまたは複数の基地局による１つまたは複数の発見チャネルの監視、たとえばスヌーピング、を要求した通信デバイスは、それのピアのロケーション精度を改善するために、たとえば１つまたは複数の基地局からの、要求に応答して受信された情報を使用することができる。たとえば、要求側ＵＥまたはシステム中の別のデバイスは、応答メッセージにおいて基地局によって測定および報告されたピア発見（ＰＤ：peer discovery）信号強度から、追跡されているＵＥのロケーションを推定および／または決定することが可能であり得る。この情報は、監視されているＵＥに到達することを試みるときにページ要求がどの基地局に送られるべきであるかを決定するために要求側ＵＥによって使用され得るものであり、いくつかの実施形態では、そのように使用される。ページング、および要求側ＵＥとページング／監視されるＵＥとの間の有向通信チャネルの確立の後、要求側ＵＥとページングされるＵＥは、直接デバイスツーデバイス通信チャネルを介して直接的に通信することができる。たとえば、第１の通信デバイスがそれを通してアナウンシングＵＥに到達することができる特定の基地局を応答に基づいて決定することによって、ＵＥがそれを通してページングされ得るどの基地局が、ピアツーピア通信セットアップ時間を短縮する可能性を有するかを識別することを可能にする特徴は、それによって、マルチプルな基地局を通してページングするかまたは順次に異なる基地局を試す必要をなくす、または低減する。
【００１９】
[0019]第１のワイヤレス端末、たとえばユーザ機器（ＵＥ）、を動作させる１つの例示的な方法が、ワイドエリアネットワークアップリンク通信チャネルを介して第１の基地局（たとえばｅノードＢ）にピアツーピア通信発見支援を要求する要求を送ることであって、前記要求はそのワイヤレス端末が検出しようとしているピアツーピア通信発見情報を識別する情報を含む、送ることと、ワイドエリアネットワークダウンリンク通信チャネルを介して応答側基地局から前記ピアツーピア通信発見情報の検出を示す前記要求に対する応答を受信することと、を行うように、第１のワイヤレス端末を動作させることを含む。
【００２０】
[0020]例示的な第１のワイヤレス端末、たとえばＵＥが、ワイドエリアネットワークアップリンク通信チャネルを介して第１の基地局にピアツーピア通信発見支援を要求する要求を送ることであって、前記要求は第１の通信デバイスが検出しようとしているピアツーピア通信発見情報を識別する情報を含む、送ることと、ワイドエリアネットワークダウンリンク通信チャネルを介して応答側基地局から前記ピアツーピア通信発見情報の検出を示す前記要求に対する応答を受信することとを行うように構成された、少なくとも１つのプロセッサを備える。第１の通信デバイスは、少なくとも１つのプロセッサに結合されたメモリを含み得るものであり、いくつかの実施形態では該メモリを含む。
【００２１】
[0021]上記の概要で様々な実施形態について論じたが、必ずしもすべての実施形態が同じ特徴を含むとは限らず、上記で説明した特徴のいくつかは、いくつかの実施形態では、必要ではないが、望ましい場合があることを理解されたい。多数の追加の特徴、実施形態および様々な実施形態の利益について、以下の詳細な説明において論じる。
【図面の簡単な説明】
【００２２】
【図１】[0022]例示的な一実施形態に従って実装される例示的なワイヤレス通信システムを示す図。
【図２】[0023]例示的な一実施形態による、図１のシステムの通信デバイス間の例示的なシグナリング交換と、アナウンシングピアデバイスの位置を特定することおよび通信を確立することを容易にする例示的な方法に関連するステップとを示す図。
【図３】[0024]別の例示的な実施形態による、図１のシステムの通信デバイス間の例示的なシグナリング交換と、アナウンシングピアデバイスの位置を特定することおよび通信を確立することを容易にする例示的な方法に関連するステップとを示す図。
【図４】[0025]例示的な一実施形態による、たとえば図１に示されたシステムの、通信デバイスを動作させる例示的な方法を示すフローチャート。
【図５】[0026]図１に示された例示的なシステム中に示されたワイヤレス端末（ＵＥ）のうちのいずれか１つとして使用され得る例示的な通信デバイスを示す図。
【図６】[0027]図５に示された例示的な通信デバイスにおいて使用され得る、モジュールのアセンブリを示す図。
【図７】[0028]図１〜図３に示されたシステムのうちのいずれか１つにおいて使用され得る例示的な実施形態による、たとえば、監視ワイヤレス端末から１つまたは複数の基地局に通信される、例示的なピアツーピア発見支援要求メッセージを示す図。
【図８】[0029]図１〜図３に示されたシステムのうちのいずれか１つにおいて使用され得る例示的な実施形態による、たとえば、基地局から通信され監視ワイヤレス端末に向けられる、例示的なピアツーピア発見支援要求応答メッセージを示す図。
【図９】[0030]図１〜図３に示されたシステムのうちのいずれか１つにおいて使用され得る例示的な実施形態による、たとえば、基地局から通信され監視ワイヤレス端末に向けられる、例示的なピアツーピア発見支援要求応答メッセージを示す図。
【図１０】[0031]基地局がＵＥからの要求に応答して監視をその間に実行し得るマルチプルなピア発見間隔を含む、反復的タイミング構造のコンテキストにおける、ワイドエリアネットワーク通信チャネルと直接ピアツーピア通信チャネルとへの周波数の例示的な割当てを示す図。
【詳細な説明】
【００２３】
[0032]図１に、複数の異なる領域１３０、１３２、．．．．１３６を含む通信システム１００を示す。各領域１３０、１３２、１３６は、その領域中でワイヤレス端末（ＷＴ）（たとえば、ユーザ機器デバイス（ＵＥ））のためのアタッチメントとして働く基地局（１２２、１２４または１２６）を含む。図示の例では、領域１３０は、基地局１２２によってサービスされるＷＴ１  １０２、ＷＴ２  １０４およびＷＴ３  １０６を含み、領域１３２は、ＷＴ４  １０８、ＷＴ５  １１０、ＷＴ６  １１２、．．．．、ＷＴ  Ｋ  １１４およびサービング基地局１２４を含み、領域１３６は、ＷＴ８  １１６、ＷＴ９  １１８、．．．．、ＷＴ  Ｎ  １２０およびサービング基地局１２６を含む。基地局１２２、１２４、１２６は、ｅノードＢとして実装され得、いくつかの実施形態では、そのように実装される。しかしながら、他の基地局の実施形態も可能である。基地局およびワイヤレス端末に加えて、システム１００は、図に示されているように基地局１２２、１２４、１２６に結合されたモビリティ管理エンティティ（ＭＭＥ：mobility management entity）デバイス１６０と、ロケーション決定ノード１７０とをさらに含む。ＭＭＥデバイス１６０は、マルチプルなＭＭＥモジュール、たとえば、ＭＭＥ１６０によってサービスされる各ワイヤレス端末（ＵＥ）について１つのＭＭＥモジュールを含む。ロケーション決定ノードは、１つまたは複数のＵＥ要求に応答して監視される信号を検出する基地局によって検出されたピア発見信号の信号強度からＵＥのロケーションを決定し得、いくつかの実施形態ではそれを決定する、拡張サービングモバイルロケーションセンター（Ｅ−ＳＭＬＣ：Enhanced Serving Mobile Location Centre）として実装され得、いくつかの実施形態ではそのように実装される。信号強度情報は、サービング基地局によってロケーション決定ノード１７０に通信され得、いくつかの実施形態ではそのように通信され、サービング基地局は、次いで、図８および図９のメッセージ８００、９００中に示す信号強度情報の代わりに、そのロケーション、たとえば、エクスプレッションがそれから検出されたＵＥに最も近い基地局を、要求側ＵＥに報告する。基地局１２２、１２４、１２６は、システム１００においてそれらの基地局によってサービスされているワイヤレス端末に通信サービスを与えるためにシグナリングおよび情報をＭＭＥデバイス１６０と交換する。単一のＭＭＥ１６０およびロケーション決定ノード１７０が図１に示されているが、システム１００は、マルチプルなＭＭＥおよびロケーション決定ノードを含み得ることを理解されたい。
【００２４】
[0033]図１に示されたワイヤレス端末は、基地局１２２、１２４、１２６などのインフラストラクチャ要素を使用して、ワイドエリアネットワーク（ＷＡＮ）通信、たとえば、セルラーネットワーク通信をサポートするが、また、ピアツーピア通信、たとえば、直接デバイスツーデバイス通信をもサポートする。
【００２５】
[0034]図１のシステムでは、様々なワイヤレス通信デバイスが、所与の時点において異なる地理的領域中で動作していることがある。ワイヤレス端末のロケーションは、そのデバイスがシステム１００全体にわたって移動するにつれて時間とともに変化し得る。システム１００中の通信デバイス、たとえば、ワイヤレス端末は、情報を通信するために、直接、たとえば、ピアツーピア方式で、または、たとえば、ＷＡＮ通信チャネルと基地局などのインフラストラクチャ要素とを使用して、１つまたは複数の基地局を介して、他のワイヤレス端末と通信することができる。様々な実施形態では、基地局および／またはロケーション決定ノード１７０は、基地局によってサービスされているワイヤレス端末のロケーション、または直接デバイスツーデバイス通信チャネルを使用しているが、ワイヤレス端末からの要求に応答してピア発見ブロードキャストに関して基地局によって監視されている、ワイヤレス端末のロケーションを追跡する。
【００２６】
[0035]様々な基地局、ならびに／またはＭＭＥ１６０およびロケーション決定ノード１７０などの他のインフラストラクチャ要素は、いくつかの実施形態では、情報を交換するためにバックホールリンクを介して互いにおよび／または他のインフラストラクチャノードに結合される。
【００２７】
[0036]システム１００では、様々なデバイスは、そのシステムにおいてピアツーピア通信を実行するおよび／またはピアツーピア通信をサポートする様々なデバイスが、それらのそれぞれの発見情報をアナウンス／アドバタイズする、共通発見チャネル、たとえば、ピアツーピア発見チャネルを監視することによって、互いの発見情報、たとえば、デバイス識別子、サービス識別子、アプリケーション識別子などを発見する。ピア発見チャネルは、ピアツーピアの、たとえば有向デバイスツーデバイスの、通信のために使用される、システムにおける複数のチャネルのうちの１つであり得る。
【００２８】
[0037]たとえば、異なる周波数に対応する複数のピアツーピア通信チャネル（ＰＣ１、ＰＣ２、ＰＣ３、ＰＣ４）１００４を示す周波数（ｘ軸）および時間（ｙ軸）の図１０００である図１０について考える。ＰＣ１は、たとえば、ピアツーピア発見ブロードキャストチャネルであり得、それを介して、デバイスは、エクスプレッションを送信するデバイスを識別する、あるいはそのデバイスによって与えられ得るサービスまたは送信デバイスによってサポートされるアプリケーションを示す、エクスプレッション、たとえば識別子、を送信し得る。ピアツーピア通信をサポートするデバイスによる発見情報のブロードキャストは、反復的タイミング構造１０２０、１０２０’に基づいて制御され、および／または何らかの方法で同期され得、たとえば個々のデバイスが、たとえばそれがシステム１００のある領域１３０から別の領域１３２に移動するときに、ある時間期間にわたって反復的タイミング構造の同じ部分を使用する。たとえば、ＷＴ１０２は、各反復的ピア発見間隔１０２０、１０２０’の第１の部分ＰＤ１  １００６、１００６’を使用し得、他の部分ＰＤ２、ＰＤ３、ＰＤ４  １００８、１０１０、１０１２がピア発見アナウンスメントのために他のＷＴによって使用される。
【００２９】
[0038]ピア通信チャネルＰＣ２、ＰＣ３、ＰＣ４は、直接ピアツーピア通信のために使用され得る異なるデバイスツーデバイスチャネル、たとえば、ピアツーピアデータチャネルであり得、いくつかの実施形態では、それである。ワイドエリアネットワークチャネル１００２は、ワイヤレス端末または他のデバイスと基地局などのインフラストラクチャ要素との間の通信のために使用される。基地局とワイヤレス端末との間の制御シグナリングおよび／またはワイドエリアネットワークデータ通信が、ワイドエリアネットワーク通信チャネル１００２のうちの１つまたは複数を介して進む。ワイドエリアネットワーク通信チャネルを使用して、ワイヤレス端末が、ベアラチャネル（たとえば、チャネルＰＣ２、ＰＣ３、またはＰＣ４）と呼ばれることがある直接デバイスツーデバイス通信チャネルのための通信リソースを確立し、その通信リソースを割り当てられ得る。デバイスツーデバイスベアラチャネルが、通信がインフラストラクチャ要素を通過することなしに、ワイヤレス端末間で音声および／またはデータトラフィックを直接通信するために使用され得る。したがって、ベアラチャネルがピアツーピア通信のために確立されると、２つのデバイスが、ベアラチャネルを介して直接通信することができる。代替的に、直接デバイスツーデバイス通信を使用するのではなく、通信は、１つまたは複数のインフラストラクチャ要素を通して確立されることができ、たとえば、通信は、ＵＥが、直接デバイスツーデバイス通信のためにはあまりに遠くに離れているとき、あるいは、基地局またはネットワークコントローラが、干渉目的で、デバイスが直接デバイスツーデバイス通信リンクを通してではなく１つまたは複数の基地局を通して通信することが好ましいと決定するときには、基地局を通して行われ得、時にはそのように行われる。直接デバイスツーデバイス通信は、２つのデバイスが互いに近くにあり、たとえば、直接デバイスツーデバイス通信が、基地局を通した通信が使用された場合にＵＥ送信のために必要とされ得るよりも低い電力を使用して進むことを可能にするときに、望ましいことがある。したがって、ある実施形態では、直接デバイスツーデバイス通信は、通信しようとしているＵＥが遠く離れており、たとえばＷＡＮの非隣接セル中にあるときではなく、それらが互いに近接しているときに、使用される。
【００３０】
[0039]システム１００の説明に戻ると、いくつかの実施形態では、発見チャネル上で送信される発見情報は、エクスプレッションの形態であり、たとえば、ＵＥデバイス、ピアユーザ、ピアアプリケーション、ピアサービス、ピアネットワーク、サーチ要求にマッピングされた、または識別子の指定された分類にマッピングされたビットシーケンスである。たとえば、第１のビットシーケンスの形態の第１のエクスプレッションは、第１のワイヤレス端末を識別し得、第１のビットシーケンスとは異なる第２のビットシーケンスの形態の第２のエクスプレッションは、第２のワイヤレス端末を識別し得る。それらのエクスプレッションは、ユーザ、デバイス、サービス、ユーザのグループなど、または関心のあるものであり得る何らかの他の情報を識別するために使用される、識別子である。
【００３１】
[0040]発見は、通常、通信デバイス、たとえばワイヤレス端末のペア間で直接発生し、一方のワイヤレス端末が、他方のワイヤレス端末によって送信されたエクスプレッションを聴取し、検出する。関心エクスプレッションを検出するワイヤレス端末は、送信デバイスとの通信を確立し、送信デバイスからのアドバタイズされたエクスプレッションに対応するサービスを取得しようとし、および／またはエクスプレッションの検出に基づいて何らかの他のアクションをとることによって、エクスプレッションを送信するワイヤレス端末に応答し得る。
【００３２】
[0041]理解されるように、２つのワイヤレス端末間の距離がある範囲よりも大きくなるとき、または、アナウンシングワイヤレス端末（ＵＥ）と監視ワイヤレス端末（ＵＥ）との間の電波の伝播が、悪いチャネル条件に起因して弱まるとき、監視ＵＥは、それが以前に発見チャネルを介して関心エクスプレッションをそれにより受信した、アナウンシングＵＥの追跡を見失うおそれがある。
【００３３】
[0042]様々な態様によれば、ピア発見信号のＷＡＮ支援が、発見範囲を増大させること、（デバイスツーデバイスまたはＤ２Ｄとも呼ばれる）ピアツーピア動作中のＵＥ電力効率を改善すること、冗長Ｄ２ＤおよびＷＡＮシグナリングをアグリゲートすること／最小限に抑えることによって、近傍サービスを改善するために、ならびに／または他の最適化を可能にするために、与えられる。
【００３４】
[0043]いくつかの実施形態では、監視ＵＥ、たとえばＷＴ１０２が、たとえば、ＢＳ１２２、１２６など、１つまたは複数の基地局にピアツーピア通信発見支援を要求する。監視ＵＥは、監視ＵＥをサービスする基地局に、または監視ＵＥの範囲内の複数の近隣基地局にその要求を送り得る。いくつかの実施形態では、その要求は、監視ＵＥ１０２が検出しようとしているピアツーピア通信発見情報、たとえば、ＷＴ２  １０４または別のワイヤレス端末などのピアデバイスに対応する発見情報、を識別する情報を含む。いくつかの実施形態では、要求を受信すると、近くの基地局は、共通発見チャネルをリッスンし、監視ＵＥによって指定された発見情報を検出すると、発見情報の検出と発見情報をアナウンスするピアデバイスのおおよそのロケーションとを示す応答を、監視ＵＥ１０２に、または監視ＵＥ１０２をサービスする基地局に送る。
【００３５】
[0044]必ずしもすべてではないが、いくつかの実施形態では、１つまたは複数のワイヤレス端末（ＵＥ）が、ハンドヘルドセルフォンまたはポータブル個人情報端末（ＰＤＡ）デバイスなど、ポータブル通信デバイスとして実装される。
【００３６】
[0045]図２は、監視ＵＥとアナウンシングＵＥの両方に関連する基地局が、たとえば、ＬＴＥ準拠ピア発見プロセスを介した、アナウンシングＵＥからの、発見情報、たとえば、デバイス、アプリケーション、サービス識別子などの初期検出の後の、アナウンシングＵＥロケーション決定と通信確立とを容易にする、例示的な一実施形態において使用されるステップおよび関連するシグナリングを示す略図２００である。図２に示された例示的なプロセスのより良い理解を促進するために、図１に示されたシステムについて考える。図２に示された例示的な方法に参加する様々なデバイスが上部に示されており、ワイヤレス端末ＷＴ１  １０２（監視ＵＥ）およびワイヤレス端末ＷＴ２  １０４（アナウンシングＵＥ）、基地局１  １２２、監視ＵＥ、たとえばＷＴ１  １０２に対応する、モビリティ管理エンティティ１６０’（ＭＭＥ−Ｍ）、ならびにアナウンシングＵＥ、たとえばＷＴ２  １０４に対応する、モビリティ管理エンティティ１６０’’（ＭＭＥ−Ａ）を含む。いくつかの実施形態では、ＭＭＥ−Ｍ１６０’およびＭＭＥ−Ａ１６０’’は、モビリティ管理エンティティデバイス１６０中のモビリティ管理エンティティモジュールとして含まれる。デバイス間で交換され得る様々な信号およびメッセージが矢印を使用して示されている。
【００３７】
[0046]図２に示された例では、プロセスは、アナウンシングＵＥ１０４からの、ピア発見情報、たとえば、デバイス識別子、サービス識別子、アプリケーション識別子などの監視ＵＥ１０２による初期検出に続いて開始される。これはステップ２１０に示されており、監視ＵＥ１０２が発見情報を検出／受信する。
【００３８】
[0047]ステップ２１１および２１２において、ＷＴ１  １０２と基地局１  １２２は、無線リソース制御（ＲＲＣ）接続セットアップのためのシグナリングを交換する。ＲＲＣ接続セットアップに続いて、一態様によれば、監視ＵＥ、すなわち、ＷＴ１  １０２は、ステップ２１４において、ワイドエリアネットワーク（ＷＡＮ）アップリンク通信チャネルを介して基地局１  １２２に、ピアツーピア通信発見支援を要求するスヌーピング要求２１５を送る。いくつかの実施形態では、スヌーピング要求２１５は、ＬＴＥシステムについて定義される無線リソース制御ＲＲＣメッセージである。図２の例では、ＷＴ１  １０２が基地局１２２に要求２１５を送ることが示されているが、ＷＴ１  １０２は、ＷＴ１  １０２の送信範囲内の複数の基地局にスヌーピング要求２１５を送ることができ、いくつかの実施形態では、該スヌーピング要求２１５を送ることを理解されたい。いくつかの他の実施形態では、監視デバイスＷＴ１  １０２は、それのサービング基地局１２２にスヌーピング要求２１５を送り、該サービング基地局１２２は、たとえば、ＬＴＥシステムにおいて定義されるインターｅノードＢ  Ｘ２インターフェースを介して、近傍にある１つまたは複数の他の基地局に発見情報とともにその要求を中継する。
【００３９】
[0048]様々な実施形態では、スヌーピング要求は、監視ＵＥ、たとえば、ＷＴ１  １０２が検出しようとしているピアツーピア通信発見情報を識別する情報を含む。いくつかの実施形態では、スヌーピング要求２１５は、ピアツーピア通信発見情報について監視されるべきである発見チャネルの一部分、たとえば、アナウンシングＵＥの発見情報、たとえば、サービスアナウンスメントが見つけられ得る、発見チャネルにおける特定のロケーション、を示す情報をさらに含む。いくつかの実施形態では、ピアツーピア通信発見情報を識別する情報は、現在のおよび次の数個の発見サイクルにおいてアナウンシングＵＥ（ＷＴ２  １０４）によってアナウンスされるべき予想されるピア発見情報を示す。
【００４０】
[0049]ステップ２１６において、基地局１  １２２は、スヌーピング要求を受信し、処理し、識別された発見情報を検出するためにピア発見チャネルを監視することを開始する。スヌーピング要求２１５を受信する１つまたは複数の基地局が、次いで、予想されるピア情報が聴取されるか否かを検出するために発見チャネルをスヌープする、たとえば、監視することになることを理解されたい。
【００４１】
[0050]ステップ２１８において、基地局１２２は、スヌーピング要求２１５がそれについて行われたピア発見情報を通信するピア発見信号２２０を受信する。一態様によれば、基地局１２２がステップ２１８においてアナウンシングＵＥ１０４からの識別されたピア発見情報を検出するとき、基地局は、受信されたピア発見信号２２０に対して信号対雑音比（ＳＮＲ）測定を実行する。
【００４２】
[0051]ステップ２２２において、基地局１２２は、監視ＵＥが指定した発見情報の発見を確認する、およびアナウンシングＵＥ１０４によって送信された検出された発見信号の信号強度、たとえばＳＮＲ測定値を報告する、応答信号、たとえばメッセージ、２２４を送る。応答メッセージ２２４は、図８または図９に示すタイプのメッセージであり得るが、他の形態もとり得る。いくつかの実施形態では、応答信号２２４は、ピア発見情報を検出した基地局１２２またはロケーション決定ノード１７０を識別する識別情報を含む。いくつかの実施形態では、応答信号２２４は、アナウンシングＵＥ１０４のロケーション情報をさらに含む。いくつかのそのような実施形態では、アナウンシングＵＥ１０４のロケーションは、たとえば、アナウンシングＵＥ１０４をサービスする基地局および／またはシステム中のロケーション決定ノードなど、インフラストラクチャ要素によって決定される。様々な実施形態では、応答信号２２４は、基地局１２２からＷＴ１０２にユニキャストメッセージにおいて通信される。いくつかの実施形態では、応答信号２２４は、ＬＴＥシステムのために定義される無線リソース制御ＲＲＣメッセージである。
【００４３】
[0052]ステップ２２６において、監視ＵＥ１０２は応答２２４を受信し、処理する。図２に示された例では、単一の基地局から受信される応答が示されているが、スヌーピング要求を直接または間接的に受信した様々な他の基地局から複数の応答が監視ＵＥ１０２によって受信され得ることを理解されたい。ステップ２２６において、監視ＵＥ１０２は、受信された応答から、アナウンシングＵＥ１０４の近似のロケーション（proximate location）および／またはアナウンシングＵＥ１０４に最も近い基地局を決定する。監視ＵＥ１０２が異なる基地局から複数の応答を受信する場合、いくつかの実施形態では、監視ＵＥ１０２は、それぞれの応答中に含まれる報告されたＳＮＲ測定値を比較し、最高のＳＮＲ測定値を含む応答を選択し、したがって、アナウンシングＵＥ１０４のロケーション近似値として、選択された応答を送った基地局を選択することを決定する。いくつかの実施形態では、監視ＵＥは、異なる基地局からの信号強度に基づいてアナウンシングＵＥの位置を三角測量することができる。
【００４４】
[0053]監視ＵＥ１０２が、ピアツーピア通信のためにアナウンシングＵＥ１０４に到達することを希望し、アナウンシングＵＥ１０４の近似のロケーションを決定したと仮定すると、次にステップ２２８において、監視ＵＥ１０２は、アナウンシングＵＥ１０４をサービスするおよび／またはアナウンシングＵＥ１０４に近い基地局を介して、アナウンシングピア１０４に到達するためにＷＡＮ支援型ページングをトリガする。ＷＡＮ支援型ページング動作に関係するシグナリングがステップ２２８〜２６２に示されている。
【００４５】
[0054]ステップ２２８において、ＮＡＳ（非アクセス層）ベアラセットアップ要求が、アナウンシングＵＥ１０４のページングをトリガするために、監視ＵＥ１０２をサービスする基地局１  １２２に送られる。ＮＡＳベアラセットアップ要求メッセージは、アナウンシングＷＴのページングＩＤと、アナウンシングＷＴ、すなわちアナウンシングＵＥ１０４をページングするべきである１つまたは複数の基地局の指示とを含み得、いくつかの実施形態では、それらを含む。ＮＡＳベアラセットアップ要求は、ＷＴ２  １０４による発見送信を検出した基地局１  １２２によるアナウンシングＷＴ２  １０４のページングをトリガする。ＷＴ２  １０４のページング識別子ＰＧＩＤは、ステップ２３２においてＷＴ２に送られ、受信される、ページメッセージ中に含まれる。ページングに続いて、基地局１２２は、ステップ２３４において、ＷＴ１  １０２に対応するモビリティ管理エンティティ１６０のモビリティ管理エンティティ１６０’であるＭＭＥ−Ｍ１６０’にＮＡＳ  Ｄ２Ｄ（デバイスツーデバイス）ベアラセットアップ要求を送る。
【００４６】
[0055]ステップ２３６において、ＭＭＥ−Ｍ１６０’は、ＮＡＳ  Ｄ２Ｄメッセージを受信し、そのメッセージを処理する。ＮＡＳ  Ｄ２Ｄは、アナウンシングＷＴ２  １０４に対応するモビリティ管理エンティティ（ＭＭＥ−Ａ１６０’’）と監視ＷＴ１  １０２に対応するＭＭＥ−Ｍ１６０’との間のステップ２４０、２４２における交換をトリガする。通信パラメータが、デバイスツーデバイス接続セットアップに関係するステップ２４０、２４２において交換される。通信パラメータの交換に続いて、基地局１  １２２とアナウンシングＵＥ  ＷＴ２  １０４との間のＲＲＣ接続セットアップが進み、１つまたは複数のメッセージが、ステップ２４４、２４６において、基地局１  １２２とワイヤレス端末ＷＴ１０４との間で交換される。
【００４７】
[0056]ＲＲＣ接続セットアップの後に、直接ベアラをアクティブ化することと、ＭＭＥ−Ｍ１６０’およびＭＭＥ−Ａ１６０’’にコンテキスト情報を与えることとを行うために使用される、ＮＡＳシグナリングが続く。そのシグナリングは、ステップ２５０においてＭＭＥ−Ｍ１６０’からＷＴ１  １０２に送られるＮＡＳ直接ベアラＣＴＸＴ（コンテキスト）アクティブ化要求メッセージ（NAS Activate Direct Bearer CTXT (Context) Request message）を含み、そのメッセージはステップ２５４において受信され、処理される。ＷＴ１は、ステップ２５６において、直接ベアラコンテキスト応答受付メッセージを送ることによってＭＭＥ−Ｍ１６０’に応答し、そのメッセージはステップ２５８において受信される。直接ベアラをアクティブ化するために使用されるシグナリングは、ステップ２４８においてＭＭＥ−Ａ１６０’’からＷＴ２  １０４に送られるＮＡＳ直接ベアラＣＴＸＴアクティブ化要求をも含み、その要求はステップ２５２において受信され、処理される。ＷＴ２  １０４は、ステップ２６０において、直接ベアラコンテキスト応答受付メッセージを送ることによってＭＭＥ−Ａ１６０’’に応答し、そのメッセージはステップ２６２において受信される。
【００４８】
[0057]直接ベアラチャネルの確立の後に、直接デバイスツーデバイス通信がステップ２６４および２６６において進み、それらのステップにおいて、ＷＴ１０２、１０４が互いと通信する。代替的に、ＷＴ１０２とＷＴ１０４との間の通信は、直接デバイスツーデバイス通信が実行不可能である場合、基地局などのインフラストラクチャ要素を通して進み得る。理解されるように、インフラストラクチャ要素を通した通信は、直接受信された信号を介して初めに発見された後にＷＴ１０２、１０４の一方が移動した場合、行われ得、いくつかの実施形態では、行われる。たとえば、ＷＴ１０４は、ＷＴ１０２の近くの位置から別のセル中のロケーションに、ならびに／あるいは、直接デバイスツーデバイス通信のために必要とされるであろう干渉および／または送信電力レベルが、干渉および／または送信電力レベルの観点から好ましくは基地局を通した通信を行う位置に、移動していることがある。いくつかの実施形態では、ＷＴ１０２および／または１０４がそれの中にあるセル中の基地局は、直接デバイスツーデバイス通信が使用されるべきであるのか、基地局などのインフラストラクチャ要素を通した通信が使用されるべきであるのかを決定する。したがって、少なくともいくつかのそのような実施形態では、基地局または他のネットワークコントローラが、ＷＴ１０２とＷＴ１０４との間の通信が直接デバイスツーデバイス通信を使用して進むことになるのか、インフラストラクチャ要素を通した通信を使用して進むことになるのかを制御する。
【００４９】
[0058]ＷＴ追跡の基地局支援は、ＷＴ１０４がＷＴ１０２の直接発見範囲外にあるときでも、ＷＴ１０２がＷＴ１０４のロケーションを決定することを可能にすることを理解されたい。これは、ＷＴ１０２が、どの基地局がＷＴ１０４をページングするために使用されるべきであるかを迅速に決定することができ、ＷＴ１０４に到達することを試みるときにこれをそのサービング基地局に示し、それにより、ＷＴ１０４がそれの中にない領域中へのページの送信を潜在的に回避することができるので、ＷＴ１０４のページングを容易にする。これは、ＷＴ１０４に到達しようと試みてページが広いページングエリア中に送られた場合、ＷＴ１０４がそれの中になかった領域中に送信され得るページによる、送信電力を節約し、干渉を回避する可能性を有する。また、ＷＴ１０４の実際のまたは可能性があるロケーションの知識は、ＷＴ１０４に接触するために、たとえば、ＷＴ１０４のロケーションに関する不確実性により、複数のページング試行が必要とされた場合よりも速く、ＷＴ１０４が到達されることを可能にする。特に、本明細書で説明する方法は、ＷＴ１０２が、ＷＴ１０４に対応するエクスプレッションについて直接発見チャネルを監視することを停止するか、またはＷＴ１０２がＷＴ１０４によって送信されたエクスプレッションについて直接発見チャネルを監視するレートを減少させ、直接発見チャネル上での１つまたは複数のアナウンシング、たとえば、ＷＴ１０４によって送信されたエクスプレッション、に関係する所望の発見情報についての基地局監視に依拠することをも可能にする。したがって、いくつかの実施形態では、ＷＴ１０２などのＵＥは、ＵＥが基地局に監視するように要求したアナウンスメント／エクスプレッションについて、そのような監視を実行するために基地局にその要求を送った後に、ＵＥが監視するレートを低減し、および／または、ＵＥは、ＵＥが基地局にそれを監視するのを支援するように要求したアナウンスメント／エクスプレッションを監視することを停止する。したがって、ＷＴ１０２は、監視についての要求が基地局に送られた後、少なくともいくつかのアナウンスメントにおける検出に関して基地局通知に依拠して、電力を温存することができる。ただし、ＷＴ１０２は、基地局に監視支援を要求する前と同じレートにおいてエクスプレッションを監視することを続けることができ、いくつかの実施形態では、それを続けることを理解されたい。１つまたは複数の基地局が直接発見チャネルを監視するので、アナウンシングＷＴ１０４は、それが直接デバイスツーデバイス発見目的で直接発見チャネル中に通常送信するメッセージまたは信号以外に、何らかの特殊メッセージまたは信号を、監視を実行する基地局に送信する必要はない。したがって、本明細書で説明する方法は、直接発見チャネルにおいてアナウンスするＵＥも、ワイドエリアネットワーク通信チャネルを通して基地局にロケーション情報を与えるように要求される場合にそうなるであろうことと比較して、アナウンシングＵＥに余分の負担を課さない。さらに、基地局にかかる負担は、少なくともいくつかの実施形態では、直接発見チャネルの基地局監視が無制限ではなく、ＵＥからの要求メッセージに応答して実行されるので、制限され得ることを理解されたい。したがって、必ずしもすべてではないがいくつかの実施形態では、基地局は、直接発見チャネルのそれらの監視を、ＵＥが要求する監視される（１つまたは複数の）直接発見チャネルの部分と、ＵＥがそれらが求めていることを示すエクスプレッション／アナウンスメントとに制限し得る。
【００５０】
[0059]したがって、ＵＥ  ＷＴ１０４によって送信された１つまたは複数の直接発見アナウンスメントから導出された直接ロケーション情報を使用してページングされたアナウンシングＵＥ  ＷＴ１０４との通信は、ピアツーピア接続、または１つまたは複数の中間基地局を介した接続を介し得る。
【００５１】
[0060]図３は、監視ＵＥに対応する基地局とアナウンシングＵＥに対応する基地局とが異なり、要求メッセージが複数の近隣基地局に送られる、実施形態に関連する様々なシグナリングおよびステップを示す図面３００である。
【００５２】
[0061]理解されるように、図３の信号の多くは、図２に示された信号と同じまたは同様である。様々なデバイス間の追加の信号も図３の実施形態に示されており、これは、ピア発見信号の監視と検出とへの追加の基地局の関与を反映する。次に、図３の例示的な実施形態について詳細に説明する。
【００５３】
[0062]図３に示された例示的な方法に参加する様々なデバイスが上部に示されており、この例では、ＷＴ１  １０２（監視ＵＥ）およびＷＴ８  １１６（アナウンシングＵＥ）、基地局１  １２２、基地局Ｎ  １２６を含む複数の基地局、監視ＵＥに対応するモビリティ管理エンティティ１６０’（ＭＭＥ−Ｍ）、たとえば、ＷＴ１  １０２のためのＭＭＥ、ならびにアナウンシングＵＥ、たとえば、ＷＴ８  １１６のためのモビリティ管理エンティティ１６０’’’（ＭＭＥ−Ａ）を含む。ＭＭＥ−Ａ１６０’’’は、それが、異なるアナウンシングデバイス、すなわち、ＷＴ２  １０４ではなくＷＴ８  １１６に対応するので、図２のＭＭＥ−Ａとは異なる。ＭＭＥ−Ａ１６０’’’およびＭＭＥ−Ｍ１６０’は、それぞれ、基地局ＷＴ１およびＷＴ８がそれの中にある、領域１と領域Ｎの両方をサービスする同じＭＭＥデバイス１６０の一部であり得る。したがって、少なくともいくつかの実施形態では、ＭＭＥ−Ｍ１６０’およびＭＭＥ−Ａ１６０’’’は、モビリティ管理エンティティデバイス１６０中のモビリティ管理エンティティモジュールとして含まれる。デバイス間で交換され得る様々な信号、メッセージが矢印を使用して示されている。
【００５４】
[0063]図３によって示された例では、プロセスは、アナウンシングＷＴ８（ＵＥ）１１６からの、ピア発見情報の監視ＵＥ１０２による初期検出に続いて開始される。これはステップ３１０に示されており、監視ＵＥ１０２がピア発見情報を検出／受信する。
【００５５】
[0064]ステップ３１１および３１２において、ＷＴ１  １０２と基地局１  １２２は、無線リソース制御（ＲＲＣ）接続セットアップのためのシグナリングを交換する。ＲＲＣ接続セットアップに続いて、一態様によれば、監視ＵＥ、すなわち、ＷＴ１  １０２は、ステップ３１４において、ワイドエリアネットワーク（ＷＡＮ）アップリンク通信チャネルを介して基地局１  １２２に、ピアツーピア通信発見支援を要求するスヌーピング要求３１５を送る。いくつかの実施形態では、スヌーピング要求３１５は、ＬＴＥシステムのために定義されるＲＲＣメッセージである。そのメッセージは、図７に示すメッセージ７００と同じまたは同様であり得る。図３の例では、スヌーピング要求３１５は、ＷＴ１  １０２をサービスする基地局１２２におよび複数の他の近隣基地局に送られる。要求３１５は、直接送信を介して近隣基地局に送られ得、またはいくつかの他の実施形態では、要求３１５は、監視ＵＥ１０２からサービング基地局１２２に送られ、サービング基地局１２２は、次いで、たとえば、ＬＴＥシステムにおいて定義されるインターｅノードＢ  Ｘ２インターフェースを介して、近傍にある１つまたは複数の他の基地局に、検出されるべき発見情報とともにその要求を中継または転送する。
【００５６】
[0065]様々な実施形態では、スヌーピング要求３１５は、監視ＵＥ、たとえば、ＷＴ１  １０２が検出しようとしているピアツーピア通信発見情報を識別する情報を含む。いくつかの実施形態では、スヌーピング要求３１５は、ピアツーピア通信発見情報について監視されるべきである発見チャネルの一部分、たとえば、アナウンシングＵＥの発見情報、たとえば、サービスアナウンスメントが見つけられ得る、発見チャネルにおける特定のロケーション、を示す情報をさらに含む。いくつかの実施形態では、ピアツーピア通信発見情報を識別する情報は、現在のおよび次の数個の発見サイクルにおいてアナウンシングＵＥ（ＷＴ８  １１６）によってアナウンスされるべき予想されるピア発見情報を示す。
【００５７】
[0066]ステップ３１６、３１６’において、基地局は、スヌーピング要求３１５を受信し、処理し、監視ＵＥ１０２によって識別された発見情報を検出するためにピア発見チャネルを監視することを開始する。したがって、その要求を受信すると、スヌーピング要求３１５を受信する１つまたは複数の基地局は、次いで、予想されるピア情報が聴取されるか否かを検出するために、スヌーピング要求において示される発見チャネル、またはそれの部分を監視することになる。
【００５８】
[0067]ステップ３１８、３１８’において、基地局１２２、１２６は、それぞれ、スヌーピング要求３１５がそれについて行われたピア発見情報を通信するピア発見信号３２０を受信する。一態様によれば、アナウンシングＵＥ１１６からのピア発見情報の基地局１２２、１２６による検出に続いて、ステップ３１８、３１８’において、これらの基地局の各々は、それぞれ、受信されたピア発見信号３２０に対して信号対雑音比（ＳＮＲ）測定を実行する。
【００５９】
[0068]ステップ３２２、３２２’において、基地局１２２、１２６は、それぞれ、監視ＵＥの指定された発見情報の発見を確認する、およびアナウンシングＵＥ１１６によって送信された検出された発見信号の信号強度、たとえば、ＳＮＲ測定値を報告する、応答信号（３２４、３２４’）を送る。いくつかの実施形態では、応答信号３２４、３２４’は、ピア発見情報を検出したそれぞれの基地局を識別する識別情報を含む。いくつかの実施形態では、応答信号３２４、３２４’は、アナウンシングＵＥ１１６のロケーション情報をさらに含む。いくつかのそのような実施形態では、アナウンシングＵＥ１１６のロケーションは、たとえば、アナウンシングＵＥ１１６をサービスする基地局および／またはシステム中のロケーション決定ノードなど、インフラストラクチャ要素によって決定される。様々な実施形態では、各応答信号３２４、３２４’は、対応する基地局から監視ＵＥ１０２にユニキャストメッセージにおいて通信される。しかしながら、いくつかの実施形態では、応答が、基地局１２２、監視ＵＥ１０２をサービスする基地ステーティングに送られ、その基地局は、次いで、１つまたは複数の基地局から受信された検出情報を、それが生成する検出情報とともに組み合わせて、監視ＵＥ１０２に通信される単一のメッセージにする。図９は、サービング基地局が、複数の検出メッセージからの情報を組み合わせて、監視ＵＥ１０２に送られる単一のメッセージにする場合に使用され得る、例示的なメッセージを示している。必ずしもすべてではないがいくつかの実施形態では、応答信号３２４、３２４’は、ＬＴＥシステムのために定義される無線リソース制御ＲＲＣメッセージである。
【００６０】
[0069]ステップ３２６、３２６’において、監視ＵＥ１０２は応答信号３２４、３２４’を受信し、処理する。さらにステップ３２６、３２６’において、応答信号を受信し、処理すると、監視ＵＥ１０２は、受信された応答信号から、アナウンシングＵＥ１１６のおおよそのロケーションを決定する。いくつかの実施形態では、アナウンシングＵＥ１１６のおおよそのロケーションを決定することの一部として、監視ＵＥ１０２は、それぞれの応答信号３２４、３２４’中に含まれる報告されたＳＮＲ測定値を比較し、より大きい値をもつＳＮＲ測定値を含む応答を選択し、アナウンシングＵＥ１１６のロケーション近似値として、選択された応答を送った基地局を選択することを決定する。たとえば、図３の実施形態では、たとえば、基地局１２６までのＵＥ１１６の近接度のために、基地局１２６によって測定されたピア発見信号３２０のＳＮＲが、基地局１２２によって測定されたピア発見信号のＳＮＲよりも大きいことになる可能性が高い。したがって、監視ＵＥ１０２は、応答信号３２４’に基づいてロケーションを決定し、ＵＥ１１６をページングするために使用されるべき基地局としてＢＳ１２６を識別する可能性が高い。
【００６１】
[0070]監視ＵＥ１０２が、ピアツーピア通信のためにアナウンシングＵＥ１１６に到達することを希望し、アナウンシングＵＥ１１６のロケーションを決定したと仮定すると、次にステップ３２８において、監視ＵＥ１０２は、アナウンシングＵＥ１１６をサービスするおよび／またはそれに近い基地局を介して、アナウンシングピア１１６に到達するためにＷＡＮ支援型ページングをトリガする。ＷＡＮ支援型ページング動作と接続確立とに関係するステップはステップ３２８〜３６２を含む。
【００６２】
[0071]ステップ３２８において、ＮＡＳベアラセットアップ要求メッセージ３２９が、ＷＴ１  １０２からＷＴ１  １０２のためのサービング基地局であるＢＳ１２２に送られる。メッセージ３２９は、ページがそれを通してＷＴ８  １１６に送られるべきである、ＷＴ８  １１６の決定されたロケーションに対応する基地局１２６を識別する情報とともに、アナウンシングＷＴ８  １１６のページングＩＤ（ＰＧＩＤ）を含み得、いくつかの実施形態では、それを含む。ＢＳ１  １２２は、それがＢＳ  Ｎ  １２６を通してページングをトリガするべきであることを認識し、ステップ３３０において、拡張ページメッセージＸ２：ＥＸＰ−ページを基地局Ｎ  １２６に送る。ステップ３３１において、基地局Ｎ  １２６は、ＷＴ８  １１６のＰＧＩＤを含むページを送信し、そのページは次いでステップ３３２においてＷＴ８  １１６によって受信される。
【００６３】
[0072]ページベアラセットアップの送信に続いて、シグナリングが、図２において説明したのと同じまたは同様の様式で実行される。ステップ３３４において、基地局１  １２２は、ＷＴ１に対応するＭＭＥ−Ｍ１６０’にＤ２Ｄベアラセットアップ要求を送る。ステップ３３６において、ＭＭＥ−Ｍ１６０’はその要求を受信する。ＷＴ１  １０２とＷＴ８  １１６との間の接続セットアッププロセスの一部としての通信パラメータの交換が、次いでステップ３４０および３４２において実行され、通信パラメータがＭＭＥ−Ｍ１６０’とＭＭＥ−Ａ１６０’’’との間で交換される。ＷＴ１  １０２に対応するＭＭＥとＷＴ８  １１６に対応するＭＭＥとの間の通信パラメータの交換の後に、ＲＲＣ接続セットアップシグナリングが続き、これは、ステップ３４６および３４４において、監視ＷＴ１  １０２をサービスする基地局１２２とアナウンシングＷＴ８  １１６との間で行われる。
【００６４】
[0073]ＲＲＣシグナリングの後に、ＭＭＥ−Ｍ１６０’が、ステップ３５０において、監視ＵＥ  ＷＴ１０２にＮＡＳ直接ベアラコンテキストアクティブ化要求メッセージを送ることが続き、そのメッセージはステップ３５４において受信される。ＷＴ１  １０２は、ステップ３５６において、ＭＭＥ−Ｍ１６０’にＮＡＳ直接ベアラコンテキスト応答受付メッセージを送ることによって応答し、そのメッセージはステップ３５８においてＭＭＥ−Ｍ１６０’によって受信される。同様のＮＡＳ単純化が、ＭＭＥ−Ａ１６０’’’とＷＴ８  １１６との間で実行される。ＭＭＥ−Ａ１６０’’’は、ステップ３４８において、アナウンシングＵＥ  ＷＴ８  １１６にＮＡＳ直接ベアラコンテキストアクティブ化要求メッセージを送り、そのメッセージはステップ３５２において受信される。ＷＴ８  １１６は、ステップ３６０において、ＭＭＥ−Ａ１６０’’’にＮＡＳ直接ベアラコンテキスト応答受付メッセージを送ることによって応答し、そのメッセージはステップ３６２においてＭＭＥ−Ａ１６０’’’によって受信される。ベアラチャネルがセットアップされると、ＷＴ１  １０２とＷＴ８  １１６との間の通信が進むことができる。
【００６５】
[0074]ステップ３６４および３６６において、それら２つのＵＥ間の通信は進み、それらのＷＴは、確立された接続を介してデータを送信および受信する。通信接続は、直接ピアツーピア通信チャネルを介したピアツーピア接続、または１つまたは複数の中間基地局を介した接続であり得る。
【００６６】
[0075]ＬＴＥの例のコンテキストにおいて、および一般的なＬＴＥ用語を使用して説明したが、本明細書で説明する方法および装置は、ＬＴＥ実装形態に限定されるものではなく、ピア発見通信チャネルを監視するために１つまたは複数の基地局が利用可能である広範囲の適用例とシステムとにおいて使用され得ることを理解されたい。
【００６７】
[0076]上記で説明したいくつかの例は、様々な特徴について説明するために使用されたが、いくつかの実施形態において使用される方法は、図４に示すフローチャートに鑑みて考慮されると、一層明らかになろう。
【００６８】
[0077]図４は、例示的な実施形態による、通信デバイス、たとえば、第１のワイヤレス端末（ＵＥ）を動作させる例示的な方法のステップを示すフローチャート４００である。いくつかの実施形態では、第１のワイヤレス端末は、図１に示されたワイヤレス端末のうちのいずれか１つである。説明のために、ＷＴ１  １０２が、フローチャート４００の方法を実装する第１のワイヤレス端末であると考えられたい。
【００６９】
[0078]動作はステップ４０２において開始する。ステップ４０２において、ＷＴ１  １０２は電源投入され、初期化され、メッセージおよび／または他の信号を監視し始める。動作は開始ステップ４０２からステップ４０４に進む。ステップ４０４において、ＷＴ１  １０２は、ピアデバイス、たとえば、ＷＴ２  １０４などのアナウンシングピアデバイスからピアツーピア通信発見情報を検出する。いくつかの実施形態では、ピアツーピア通信発見情報は、ピアデバイス発見情報、サービス発見情報、またはアプリケーション発見情報のうちの１つである。たとえば、ピアデバイス発見情報はデバイス識別子であり得、サービス発見情報は、ピアデバイスによってアナウンスされているサービスに対応するサービス識別子であり得、アプリケーション発見情報は、ピアデバイスによってアドバタイズされているアプリケーションに対応するアプリケーション識別子であり得る。いくつかの実施形態では、ＷＴ１  １０２は、ピアツーピア通信をサポートする、たとえば、ピアツーピア通信を実装することが可能である、デバイスによって直接ピアツーピア発見をサポートすることを目的とする直接通信チャネルを監視することによって、ピアツーピア通信発見情報を検出する。
【００７０】
[0079]動作はステップ４０４からステップ４０６に進む。ＷＴ１０２が、検出されたピアツーピア通信発見情報を送信したデバイスと通信することに関心があると仮定すると、ステップにおいて、ＷＴ１０２は、ワイドエリアネットワークアップリンク通信チャネルを介して、第１の基地局に、ピアツーピア通信発見支援を要求する要求（たとえば、図２において説明したスヌーピング要求２１５）を送り、前記要求は、ワイヤレス端末１０２が検出しようとしているピアツーピア通信発見情報を識別する情報を含む。いくつかの実施形態では、ＷＴ１０２は、ＷＴ１０２の送信範囲内の複数の基地局に要求を送り得る。いくつかの実施形態では、要求は、要求を直接受信する第１の基地局によって、複数の他の基地局に中継され得る。
【００７１】
[0080]様々な実施形態では、ステップ４０６は、ＷＴ１  １０２がピアツーピア通信発見支援についての要求を生成する、ステップ４０８を含む。いくつかの実施形態では、要求を生成するステップ４０８は、オプションであり、破線ボックス中に示されている、サブステップ４０９および４１０の一方または両方を実行することを含む。ステップ４０９において、要求を生成することの一部として、ＷＴ１  １０２は、第１の通信デバイスを識別する情報を要求中に含め、第１の通信デバイスを識別する情報が、第１の通信デバイスに応答を送る際に使用され得る、デバイス識別子、たとえば、ＷＴ１  １０２の識別子を含む。したがって、要求は、応答側デバイス、たとえば、基地局がＷＴ１  １０２に応答を返送するのに十分な情報を含む。サブステップ４１０において、ＷＴ１  １０２は、ピアツーピア通信発見情報について監視されるべきであるピア発見チャネルの一部分を示す情報を含める。したがって、いくつかの実施形態では、要求は、予想されるピア発見情報がピア発見チャネルにおいてどこで見つけられ得るかを示す情報を含む。いくつかのそのような実施形態では、要求は、予想されるピアツーピア通信発見情報がピア発見チャネルにおいてアナウンスされるものを使用してリソースを識別するピア発見リソース識別子（ＰＤＲＩＤ：peer discovery resource identifier）を含む。
【００７２】
[0081]動作はステップ４０６（ステップ４０８、４０９  ４１０を含む）からステップ４１２に進む。ステップ４１２において、第１のデバイスＷＴ１  １０２は、ワイドエリアネットワークダウンリンク通信チャネルを介して、応答側基地局から、ピアツーピア通信発見情報の検出を示す要求に対する応答を受信する。いくつかの実施形態では、応答は、応答側基地局から第１の通信デバイスＷＴ１  １０２にユニキャストメッセージにおいて通信される。いくつかの実施形態では、応答側基地局は、ＷＴ１  １０２直接送信された要求に対する基地局であるか、またはＷＴ１  １０２が要求をそれに直接送信した基地局から要求を受信した基地局である。図２〜図３の例に関して説明したように、第１のデバイスＷＴ１  １０２は２つ以上の基地局から、たとえば、複数の基地局から応答を受信し得ることを理解されたい。
【００７３】
[0082]様々な実施形態では、応答を受信するステップ４１２はステップ４１４および４１６を含む。いくつかの実施形態では、ステップ４１４および４１６の一方または両方が、ステップ４１２を実行することの一部として実行される。ステップ４１４において、第１の通信デバイスは、応答の一部として、ピアツーピア通信発見情報を検出した基地局を識別する、およびピアツーピア通信発見情報を通信する検出されたピア発見信号の強度を示す、強度情報を受信する。いくつかの実施形態では、強度情報は、発見信号に対して実行されたＳＮＲ測定の結果を含む。
【００７４】
[0083]ステップ４１６において、第１の通信デバイスは、応答の一部として、ピアツーピア通信発見情報を通信する検出された発見信号を送信した、第２の通信デバイス、たとえば、ＷＴ２  １０４などのアナウンシングピアデバイスのロケーション情報を受信し、ロケーション情報が、インフラストラクチャ要素によって決定されている第２のデバイスのロケーションを示す。いくつかの実施形態では、インフラストラクチャ要素は、第２のデバイスをサービスする基地局、または応答がそれから受信される基地局のうちの１つである。したがって、第２のデバイスに対応するロケーション情報は、第２のデバイスをサービスする基地局によって、または発見情報を検出し、第１のデバイスＷＴ１  １０２に応答した別の基地局によって決定され得る。
【００７５】
[0084]動作はステップ４１２からステップ４１８に進む。ステップ４１８において、ＷＴ１  １０２は、受信された応答から、ピアツーピア通信発見情報を通信する検出された発見信号を送信した、第２の通信デバイスの近似のロケーションを決定する。ＷＴ１  １０２は、様々な方法で第２のデバイスのロケーションを決定し得る。いくつかの実施形態では、第１の通信デバイス１０２が異なる基地局から複数の応答を受信するとき、第１の通信デバイス１０２は、それぞれの応答中に含まれる報告されたＳＮＲ測定値を比較し、発見情報を通信する発見信号に対応する最高ＳＮＲ測定値を含む応答を選択し、第２の通信デバイスＷＴ１０４のロケーション近似値として、選択された応答を送った基地局を選択する。いくつかの実施形態では、ＷＴ１０２は、異なる基地局からの報告された信号強度に基づいて第２のデバイスの位置を三角測量することができる。
【００７６】
[0085]動作はステップ４１８からステップ４２０に進む。第２のデバイスの近似のロケーションを決定すると、次にステップ４２０において、第１の通信デバイスＷＴ１０２は、たとえば、第２のデバイスＷＴ１０４をサービスするおよび／またはそれに近い基地局を介して、アナウンシングピア１０４に到達するためにＷＡＮ支援型ページングをトリガする。様々な実施形態では、第１および第２の通信デバイスはデバイスツーデバイス通信をサポートする。ステップ４２０において、第１の通信デバイスは、基地局支援型ページング動作を開始するために第１の基地局に信号を送り、信号が、発見情報を通信する発見信号を検出した基地局を介して第２の通信デバイスへのページングをトリガする。したがって、ＷＴ１  １０２は、第２のデバイスをページングするのを、たとえば、第２のデバイスＷＴ１０４との通信接続を開始するのを、支援するために発見情報を検出した基地局に信号を送る。いくつかの実施形態では、その信号は、直接ピアツーピア通信が第１の通信デバイスＷＴ１  １０２と第２の通信デバイスＷＴ１０４との間で開始されることを可能にする。
【００７７】
[0086]動作はステップ４２０からステップ４２２に進む。ステップ４２２において、第１の通信デバイスは、第１の通信デバイスと第２の通信デバイスとの間の通信接続、たとえば、直接ピアツーピア通信接続を確立する。動作はステップ４２２からステップ４０４に戻り、動作は時間とともにこのようにして続き得る。
【００７８】
[0087]図５は、例示的な一実施形態による、例示的な第１の通信デバイス５００、たとえば、第１のワイヤレス端末の図面である。第１の通信デバイス５００は、図１のシステム中に示されたワイヤレス端末（ＵＥ）のうちのいずれか１つとして使用され得る。例示的な通信デバイス５００は、図４のフローチャート４００による方法を実装し得、時には実装する。
【００７９】
[0088]通信デバイス５００は、バス５０９を介して互いに結合されたプロセッサ５０２とメモリ５０４とを含み、様々な要素（５０２、５０４）はバス５０９を介してデータおよび情報を交換し得る。通信デバイス５００は、図示のようにプロセッサ５０２に結合され得る入力モジュール５０６と出力モジュール５０８とをさらに含む。ただし、いくつかの実施形態では、入力モジュールおよび出力モジュール５０６、５０８はプロセッサ５０２の内部に位置する。入力モジュール５０６は入力信号を受信することができる。入力モジュール５０６は、入力を受信するためのワイヤレス受信機および／またはワイヤードもしくは光入力インターフェースを含むことができ、いくつかの実施形態では、それらを含む。出力モジュール５０８は、出力を送信するためのワイヤレス送信機および／またはワイヤードもしくは光出力インターフェースを含み得、いくつかの実施形態では、それらを含む。いくつかの実施形態では、プロセッサ５０２は、出力モジュール５０８を介して信号を送り、たとえば、送信し、入力モジュール５０６を介して信号を受信するように構成される。出力モジュール５０８を介してプロセッサ５０２によって送られる信号は、ピアツーピア通信発見支援を要求する、ＷＡＮアップリンク通信チャネルを介して基地局に送られている要求を含み得、いくつかの実施形態では、それを含む。少なくともいくつかの実施形態では、プロセッサは、入力モジュール５０６を介して要求に対する応答を受信する。
【００８０】
[0089]いくつかの実施形態では、メモリ５０４は、ルーチン５１１とデータ／情報５１３とを含む。
【００８１】
[0090]プロセッサ５０２は、いくつかの実施形態では、ピアデバイス、たとえば、ＷＴ２  １０４などのアナウンシングピアデバイスからピアツーピア通信発見情報を検出するように構成される。いくつかの実施形態では、ピアツーピア通信発見情報は、デバイス識別子、ピアデバイスによってアナウンスされているサービスに対応するサービス識別子、またはピアデバイスによってアドバタイズされているアプリケーションに対応するアプリケーション識別子のうちの１つである。
【００８２】
[0091]様々な実施形態では、プロセッサ５０２は、ピアツーピア通信発見支援についての要求（たとえば、図２において説明したスヌーピング要求２１５）を生成し、（たとえば、出力モジュール５０８を使用して）ワイドエリアネットワークアップリンク通信チャネルを介して、第１の基地局に、ピアツーピア通信発見支援を要求する要求を送るようにさらに構成され、要求は、第１の通信デバイス５００が検出しようとしているピアツーピア通信発見情報を識別する情報を含む。いくつかの実施形態では、プロセッサ５０２は、（たとえば、出力モジュール５０８を使用して）デバイス５００の送信範囲内の複数の基地局に要求を送るように構成される。いくつかの実施形態では、要求を生成することの一部として、プロセッサ５０２は、（ｉ）要求中の第１の通信デバイス５００を識別する情報であって、第１の通信デバイスに応答を送る際に使用され得るデバイス識別子を含む、第１の通信デバイスを識別する情報、および（ｉｉ）ピアツーピア通信発見情報について監視されるべきであるピア発見チャネルの一部分を示す情報、のうちの少なくとも１つを、生成された要求中に含めるように構成される。したがって、いくつかの実施形態では、要求は、予想されるピア発見情報がピア発見チャネルにおいてどこで見つけられ得るかを示す情報を含む。
【００８３】
[0092]プロセッサ５０２は、（たとえば、入力モジュール５０６を使用して）ワイドエリアネットワークダウンリンク通信チャネルを介して、応答側基地局から、ピアツーピア通信発見情報の検出を示す要求に対する応答を受信するようにさらに構成される。いくつかの実施形態では、応答は、応答側基地局から第１の通信デバイス５００にユニキャストメッセージにおいて通信される。いくつかの実施形態では、応答側基地局は、第１の通信デバイス５００が要求をそれに直接送信した基地局であるか、または第１の通信デバイス５００が要求をそれに直接送信した基地局から要求を受信した基地局である。いくつかの実施形態では、プロセッサ５０２は、（たとえば、入力モジュール５０６を使用して）２つ以上の基地局から、たとえば、複数の基地局から応答を受信するように構成される。
【００８４】
[0093]いくつかの実施形態では、プロセッサ５０２は、応答を受信するように構成されることの一部として、ピアツーピア通信発見情報を検出した基地局を識別する、およびピアツーピア通信発見情報を通信する検出されたピア発見信号の強度を示す、信号強度情報（ＳＮＲ）を受信するように構成される。いくつかの実施形態では、プロセッサ５０２は、応答を受信するように構成されることの一部として、ピアツーピア通信発見情報を通信する検出された発見信号を送信した第２の通信デバイスのロケーション情報を受信するようにさらに構成される。いくつかの実施形態では、ロケーション情報は、インフラストラクチャ要素によって決定された第２のデバイスのロケーションを示す。いくつかの実施形態では、インフラストラクチャ要素は、第２のデバイスをサービスする基地局、または応答がそれから受信される基地局のうちの１つである。
【００８５】
[0094]様々な実施形態では、プロセッサ５０２は、受信された応答から、ピアツーピア通信発見情報を通信する検出された発見信号を送信した第２の通信デバイスの近似のロケーションを決定するようにさらに構成される。いくつかの実施形態では、第１の通信デバイス５００は、異なる基地局から複数の応答を受信し、プロセッサは、それぞれの応答中に含まれる報告されたＳＮＲ測定値を比較し、発見情報を通信する発見信号に対応する最高ＳＮＲ測定値を含む応答を選択するように構成される。いくつかのそのような実施形態では、プロセッサ５０２は、第２の通信デバイスのロケーション近似値として、選択された応答を送った基地局を選択するように構成される。いくつかの実施形態では、プロセッサ５０２は、異なる基地局からの報告された信号強度（報告されたＳＮＲ測定値）に基づいて第２のデバイスの位置を三角測量するようにさらに構成される。
【００８６】
[0095]いくつかの実施形態では、プロセッサ５０２は、（たとえば、出力モジュール５０８を使用して）基地局支援型ページング動作を開始するために第１の基地局に信号を送るようにさらに構成され、信号が、発見情報を通信する発見信号を検出した基地局を介して第２の通信デバイスへのページングをトリガする。したがって、プロセッサは、たとえば、第２のデバイス（アナウンシングピアデバイス）をサービスするおよび／またはそれに近い基地局を介して、第２のデバイスに到達するためにＷＡＮ支援型ページングをトリガするように通信デバイス５００を制御するように構成される。いくつかの実施形態では、その信号は、直接ピアツーピア通信が第１の通信デバイスと第２の通信デバイスとの間で開始されることを可能にする。様々な実施形態では、第１の通信デバイスおよび第２の通信デバイスはデバイスツーデバイス通信をサポートする。プロセッサ５０２は、いくつかの実施形態では、（たとえば、入力モジュール５０６および出力モジュール５０８を使用して）第２の通信デバイスとの通信接続、たとえば、直接ピアツーピア通信接続を確立するようにさらに構成される。
【００８７】
[0096]図６は、図５に示された第１の通信デバイス５００中で使用され得、いくつかの実施形態では使用される、モジュールのアセンブリ６００である。モジュールのアセンブリ６００は、たとえば個別の回路として、図５の通信デバイス５００のプロセッサ５０２内のハードウェアで実装され得る。代替的に、それらのモジュールは、ソフトウェアで実装され、通信デバイス５００のメモリ５０４に記憶され得る。図５の実施形態ではシングルプロセッサ、たとえば、コンピュータとして示されているが、プロセッサ５０２は、１つまたは複数のプロセッサ、たとえば、コンピュータとして実装され得ることを理解されたい。
【００８８】
[0097]ソフトウェアで実装されるとき、それらのモジュールはコードを含み、そのコードは、プロセッサ５０２によって実行されたとき、そのプロセッサを、そのモジュールに対応する機能を実装するように構成する。モジュールのアセンブリ６００がメモリ５０４に記憶される実施形態では、メモリ５０４は、少なくとも１つのコンピュータ、たとえば、プロセッサ５０２に、モジュールが対応する機能を実装することを行わせるためのコード、たとえば、モジュールごとの個別コードを備えるコンピュータ可読媒体を備えるコンピュータプログラム製品である。いくつかのそのような実施形態では、モジュールのアセンブリ６００は、図５のデバイス５００のメモリ５０４のルーチン５１１中に含まれる。
【００８９】
[0098]完全にハードウェアベースのまたは完全にソフトウェアベースのモジュールが使用され得る。ただし、機能を実装するために、ソフトウェアとハードウェアの任意の組合せの、たとえば、回路実装型のモジュールが使用され得ることを理解されたい。理解されるべきであるように、図６に示されたモジュールは、通信デバイス５００、またはプロセッサ５０２などの通信デバイス５００中の要素を、図４の方法フローチャート４００に示された対応するステップの機能を実行するように制御および／または構成する。
【００９０】
[0099]モジュールのアセンブリ６００は、図４に示された方法の各ステップに対応するモジュールを含む。図４に示された対応するステップを実行するようにプロセッサ５０２を実行または制御する図６中のモジュールは、４で始まる番号の代わりに６で始まる番号で識別される。たとえば、モジュール６０４はステップ４０４に対応し、ステップ４０４に関して説明した動作を実行することを担当する。
【００９１】
[0100]図６に示されているように、モジュールのアセンブリ６００は、ピアデバイス、たとえば、ＷＴ２  １０４などのアナウンシングピアデバイスからピアツーピア通信発見情報を検出するように構成されたモジュール６０４を含む。いくつかの実施形態では、ピアツーピア通信発見情報は、デバイス識別子、ピアデバイスによってアナウンスされているサービスに対応するサービス識別子、またはピアデバイスによってアドバタイズされているアプリケーションに対応するアプリケーション識別子のうちの１つである。
【００９２】
[0101]様々な実施形態では、モジュールのアセンブリは、ワイドエリアネットワークアップリンク通信チャネルを介して、第１の基地局に、ピアツーピア通信発見支援を要求する要求（たとえば、スヌーピング要求２１５）を送るように構成されたモジュール６０６をさらに含み、要求は、第１の通信デバイス５００が検出しようとしているピアツーピア通信発見情報を識別する情報を含む。様々な実施形態では、モジュール６０６は、ピアツーピア通信発見支援についての要求を生成するように構成されたモジュール６０８と、要求中の第１の通信デバイスを識別する情報を、生成された要求中に含めるように構成されたモジュール６０９と、第１の通信デバイスを識別する情報が、第１の通信デバイスに応答を送る際に使用され得るデバイス識別子を含む、ピアツーピア通信発見情報について監視されるべきであるピア発見チャネルの一部分を示す情報を含めるように構成されたモジュール６１０とを含む。いくつかの実施形態では、モジュール６０６は、通信デバイス５００の送信範囲内の複数の基地局に要求を送るように構成される。
【００９３】
[0102]モジュールのアセンブリ６００は、ワイドエリアネットワークダウンリンク通信チャネルを介して、応答側基地局から、ピアツーピア通信発見情報の検出を示す要求に対する応答を受信するように構成されたモジュール６１２をさらに含む。いくつかの実施形態では、応答は、応答側基地局から第１の通信デバイス５００にユニキャストメッセージにおいて通信される。いくつかの実施形態では、応答側基地局は、要求がそれに直接送信された基地局であるか、または要求がそれに直接送信された基地局から要求を受信した基地局である。いくつかの実施形態では、モジュール６１２は、２つ以上の基地局から、たとえば、複数の基地局から応答を受信するように構成される。いくつかの実施形態では、モジュール６１２は、応答を受信するように構成されることの一部として、ピアツーピア通信発見情報を検出した基地局を識別する、およびピアツーピア通信発見情報を通信する検出されたピア発見信号の強度を示す、信号強度情報（ＳＮＲ）を受信するように構成されたモジュール６１４と、ピアツーピア通信発見情報を通信する検出された発見信号を送信した第２の通信デバイスのロケーション情報を受信するように構成されたモジュール６１６とをさらに含む。いくつかの実施形態では、ロケーション情報は、インフラストラクチャ要素によって決定された第２のデバイスのロケーションを示す。いくつかの実施形態では、インフラストラクチャ要素は、第２のデバイスをサービスする基地局、または応答がそれから受信される基地局のうちの１つである。
【００９４】
[0103]様々な実施形態では、モジュールのアセンブリ６００は、受信された応答から、ピアツーピア通信発見情報を通信する検出された発見信号を送信した第２の通信デバイスの近似のロケーションを決定するように構成されたモジュール６１８をさらに含む。いくつかの実施形態では、モジュール６１２は、異なる基地局から複数の応答を受信し、モジュール６１８は、それぞれの応答中に含まれる報告されたＳＮＲ測定値を比較して、発見情報を通信する発見信号に対応する最高ＳＮＲ測定値を含む応答を選択する。いくつかのそのような実施形態では、モジュール６１８は、第２の通信デバイスのロケーション近似値として、選択された応答を送った基地局を選択するように構成される。いくつかの実施形態では、モジュール６１８は、第２のデバイスのロケーションを決定することの一部として、異なる基地局からの報告された信号強度（報告されたＳＮＲ測定値）に基づいて第２の通信デバイスの位置を三角測量するように構成される。
【００９５】
[0104]いくつかの実施形態では、モジュールのアセンブリ６００は、基地局支援型ページング動作を開始するために第１の基地局に信号を送るように構成されたモジュール６２０であって、信号が、発見情報を通信する発見信号を検出した基地局を介して第２の通信デバイスへのページングをトリガする、モジュール６２０と、第２の通信デバイスとの通信接続、たとえば直接ピアツーピア通信接続を確立するように構成されたモジュール６２２とをさらに含む。様々な実施形態では、第１の通信デバイスおよび第２の通信デバイスはデバイスツーデバイス通信をサポートする。いくつかの実施形態では、モジュール６２２は、ＷＡＮインフラストラクチャを介して、たとえば基地局を介して、第１の通信デバイスと第２の通信デバイスとの間の通信接続を確立するように構成される。
【００９６】
[0105]破線ボックス中に示されたモジュールはオプションであり、したがって、これらのモジュールのうちの１つまたは複数は、いくつかの実施形態では存在し、他の実施形態では存在しないことがある。破線ボックスは、これらのモジュールが様々な実施形態においてモジュールのアセンブリ６００中に含まれるが、これらのモジュールが対応するステップが実行される実施形態では、プロセッサ５０２がそのようなオプションのモジュールを実行し得ることを示す。いくつかの実施形態では、別のモジュール内に含まれる図６に示された１つまたは複数のモジュールが、１つまたは複数の独立モジュールとして実装され得る。
【００９７】
[0106]図７は、例示的な実施形態による、たとえば、監視ＵＥデバイス、たとえば、ＷＴ１  １０２から１つまたは複数の基地局に通信される、例示的なピアツーピア発見支援要求メッセージ７００を示している。要求メッセージ７００は、図２〜図３に関して説明したようにスヌーピング要求とも呼ばれる。例示的な要求メッセージ７００は、いくつかの実施形態では、１つまたは複数のピア発見エクスプレッションを監視することの支援を要求する監視ＵＥによって生成され、１つまたは複数の基地局に送られる。
【００９８】
[0107]図示のように、例示的な発見支援要求メッセージ７００は、ソースＩＤフィールド７０２と、宛先基地局（ＢＳ）ＩＤ（複数可）フィールド７０４と、メッセージタイプＩＤフィールド７０６と、監視されるべき発見チャネル部分（複数可）７０８と、ピアツーピア発見情報ＩＤ（複数可）、たとえば、エクスプレッション、フィールド７１０とを含む複数の情報フィールドを含む。ピアツーピア発見情報ＩＤ（複数可）フィールド７１０は、いくつかの実施形態では、１つまたは複数の発見情報識別子、たとえば、サービスＩＤ、ユーザＩＤ、デバイスＩＤなどを含む。
【００９９】
[0108]ソースＩＤ７０２は、要求メッセージ７００を送る監視ＵＥ、たとえば、ＷＴ１  １０２に対応する識別子である。宛先ＢＳ  ＩＤ（複数可）フィールド７０４は、要求がそれに送られる識別子（複数可）対応する基地局を含む。いくつかの実施形態では、要求メッセージ７００が複数の基地局にブロードキャストされている場合、フィールド７０４はブロードキャストグループ識別子を含み得る。いくつかの実施形態では、フィールド７０４は、メッセージがそれに送られる１つまたは複数の基地局に対応するＢＳ  ＩＤを含む。
【０１００】
[0109]メッセージタイプＩＤフィールド７０６は、要求７００が関係するメッセージのタイプを識別する識別子を含み、たとえば、フィールド７０６中の情報は、メッセージ７００がピアツーピア発見支援についての要求であることを識別する。発見チャネル部分（複数可）ＩＤフィールド７０８は、要求メッセージ７００を受信する基地局によって監視されるべきピア発見チャネルの部分（複数可）、たとえば、通信リソース（複数可）を識別する情報を含む。
【０１０１】
[0110]ピアツーピア発見情報ＩＤ（複数可）フィールド７１０は、発見支援がメッセージ７００を介してそれについて要求されている発見情報を識別する情報を含む。いくつかの実施形態では、フィールド７１０は、監視ＵＥ１０２が発見支援をそれについて求めるサービスに対応する複数のサービス識別子、たとえば、サービスＩＤ１  ７１２〜サービスＩＤ  Ｎ  ７１６を含む。いくつかの実施形態では、フィールド７１０は、監視ＵＥ１０２が発見しようとする、たとえば、通信しようとする、デバイスに対応する複数のデバイス識別子、たとえば、デバイスＩＤ１  ７１８〜デバイスＩＤ  Ｍ  ７２２をさらに含む。いくつかの実施形態では、フィールド７１０は、監視ＵＥ１０２が発見しようとするユーザデバイスに対応する複数のユーザ識別子、たとえば、ユーザＩＤ１  ７２４〜ユーザＩＤ  Ｘ  ７２８をさらに含む。
【０１０２】
[0111]図８は、例示的な実施形態による、たとえば、基地局から監視ＵＥデバイスに通信される、例示的なピアツーピア発見支援要求応答メッセージ８００を示している。例示的な応答メッセージ８００は、いくつかの実施形態では、受信されたピア発見支援要求メッセージ７００に応答して、監視ＵＥ、たとえば、ＷＴ１０２によって監視されるように要求された発見エクスプレッションを検出した応答側基地局によって生成され、たとえば、監視ＵＥに送られる。
【０１０３】
[0112]図示のように、例示的な発見支援要求応答メッセージ８００は、送信基地局ＩＤフィールド８０２と、宛先デバイス、たとえば、ＵＥ、ＩＤフィールド８０４と、メッセージタイプＩＤフィールド８０６と、検出基地局ＩＤフィールド８０８と、発見チャネル部分ＩＤフィールド８１０と、検出された発見情報ＩＤフィールド８１２と、信号電力レベル情報を含むフィールド８１４とを含む複数の情報フィールドを含む。
【０１０４】
[0113]送信基地局ＩＤフィールド８０２は、監視ＵＥに、たとえば、ＷＴ１  １０２に応答メッセージ８００を送信する基地局に対応する識別子を含む。宛先デバイスＩＤフィールド８０４は、応答メッセージ８００がそれに送られる監視ＵＥに対応する識別子を含む。
【０１０５】
[0114]メッセージタイプＩＤフィールド８０６は、応答メッセージ８００が属するメッセージのタイプを識別する識別子を含み、たとえば、フィールド８０６中の情報は、応答メッセージ８００がピア発見支援要求に対する応答であることを識別する。検出基地局ＩＤフィールド８０８は、それについての要求７００が監視ＵＥデバイスによって行われた発見情報を検出した基地局の識別子を含む。発見情報、たとえば、監視ＵＥによって求められるサービスを検出する基地局は、応答メッセージ８００を送っている同じ基地局ではないことがあることを理解されたい。いくつかの実施形態では、発見支援要求メッセージ７００を受信する基地局が、監視ＵＥをサービスする基地局に応答を送り、その基地局が、最終的に応答メッセージを生成し、それを監視ＵＥに送る。ただし、場合によっては、発見エクスプレッションを検出する基地局も、応答８００などの応答メッセージを監視ＵＥに送ることが可能である。
【０１０６】
[0115]発見チャネル部分ＩＤフィールド８１０は、関心のある発見情報がそれの上で検出されたピア発見チャネルの部分、たとえば、通信リソース（複数可）を識別する情報を含む。
【０１０７】
[0116]検出された発見情報ＩＤフィールド８１２は、検出された発見情報を識別する情報、たとえば、検出されたユーザＩＤ、サービスＩＤ、デバイスＩＤなどを含む。いくつかの実施形態では、フィールド８１２は、たとえば、要求メッセージ７００のフィールド７１０において指定されているように、要求された発見情報に対応する、複数の検出された識別子を含む。信号電力情報フィールド８１４は、検出基地局において測定された、発見情報を通信する受信されたピア発見信号の受信信号電力レベルを示す情報を含む。いくつかの実施形態では、信号電力情報フィールド８１４は、ピア発見信号を受信した基地局によって受信されたピア発見信号に対して実行されるＳＮＲ測定の結果を含む。フィールド８１４中に含まれるＳＮＲ情報は、受信基地局によって検出および測定された受信信号電力を示す情報に加えてのＳＮＲ情報であり得、いくつかの実施形態では、それである。
【０１０８】
[0117]図９は、ピア発見支援要求メッセージ７００に応答して監視ＵＥに送られる、サービング基地局によって生成される例示的な応答メッセージ９００を示している。図９の例では、監視ＵＥをサービスしているサービング基地局、たとえば、ＢＳ１２２が、要求メッセージ７００において監視されるように要求された１つまたは複数の発見エクスプレッションを検出した複数の基地局から受信された応答のアグリゲートである応答メッセージ９００を生成する。サービング基地局は、監視ＵＥによって監視されるように要求された発見エクスプレッションを検出した様々な他の基地局から、図８に示されたタイプの複数の応答メッセージを受信し得、いくつかの実施形態では、それを受信し、複数の受信された応答メッセージから、図９に示されたアグリゲートメッセージ９００を生成する。したがって、発見エクスプレッションを検出する他の個々の基地局が、監視ＵＥにオーバージエアで応答メッセージをワイヤレス送信する必要なしに、単一の応答メッセージ９００がサービング基地局から監視ＵＥに通信されることによって、エアリンクリソースが温存される。
【０１０９】
[0118]図示のように、例示的な発見支援要求応答メッセージ９００は、送信基地局ＩＤフィールド９０２と、宛先デバイス、たとえば、ＵＥ、ＩＤフィールド９０４と、メッセージタイプＩＤフィールド９０６とを含む複数の情報フィールドを含む。メッセージフィールド９０２、９０４および９０６は、応答メッセージ８００に関して上記で説明したフィールド８０２、８０４および８０６と同じである。たとえば、送信基地局ＩＤフィールド９０２は、監視ＵＥに、たとえば、ＷＴ１  １０２に応答メッセージ９００を送信するサービング基地局に対応する識別子を含む。宛先デバイスＩＤフィールド９０４は、応答メッセージ９００がそれに送られる監視ＵＥに対応する識別子を含む。
【０１１０】
[0119]応答メッセージ９００は、１つまたは複数の他の基地局から受信された１つまたは複数の応答からサービング基地局によってアグリゲートされた、参照番号９０８によってまとめて識別される、情報をさらに含む。情報フィールド９１０、９１２、９１４、９１６が、要求された発見エクスプレッションを検出した、たとえば、第１の基地局から受信された応答から生成される。検出基地局ＩＤフィールド９１０は、要求メッセージ７００において監視されるように要求された発見情報を検出した第１の基地局の識別子を含む。発見チャネル部分ＩＤフィールド９１２は、関心のある発見情報が、フィールド９１０において識別された第１の基地局によってそれの上で検出されたピア発見チャネルの部分、たとえば、通信リソース（複数可）を識別する情報を含む。検出された発見情報ＩＤフィールド９１４は、フィールド９１０において識別された第１の基地局によって検出された、検出された発見情報を識別する情報、たとえば、ユーザＩＤ１を含む。信号電力情報フィールド９１６は、フィールド９１０において識別された第１の基地局において測定された、発見情報を通信する受信されたピア発見信号の受信信号電力レベルを示す情報を含む。いくつかの実施形態では、信号電力情報フィールド９１６は、受信されたピア発見信号に対して実行されたＳＮＲ測定の結果を含む。
【０１１１】
[0120]同様に、情報フィールド９２０、９２２、９２４、９２６および９３０、９３２、９３４、９３６が、要求された発見エクスプレッションを同じく検出した応答受信された他の基地局から生成される。情報フィールド９２０、９２２、９２４、９２６および９３０、９３２、９３４、９３６は、上記で詳細に説明した対応する情報フィールド９１０、９１２、９１４、９１６と同様である。
【０１１２】
[0121]検出基地局ＩＤフィールド９２０は、要求メッセージ７００において監視されるように要求された発見情報を検出した第２の基地局の識別子を含む。発見チャネル部分ＩＤフィールド９２２は、関心のある発見情報が、フィールド９２０において識別された第２の基地局によってそれの上で検出されたピア発見チャネルの部分、たとえば、通信リソース（複数可）を識別する情報を含む。検出された発見情報ＩＤフィールド９２４は、第２の基地局によって検出された、検出された発見情報を識別する情報、たとえば、サービスＩＤ１を含む。信号電力情報フィールド９２６は、検出第２の基地局において測定された、発見情報を通信する受信されたピア発見信号の受信信号電力レベルを示す情報を含む。
【０１１３】
[0122]検出基地局ＩＤフィールド９３０は、要求メッセージ７００において監視されるように要求された発見情報を検出した第３の基地局の識別子を含む。発見チャネル部分ＩＤフィールド９３２は、関心のある発見情報が、フィールド９３０において識別された第３の基地局によってそれの上で検出されたピア発見チャネルの部分、たとえば、通信リソース（複数可）を識別する情報を含む。検出された発見情報ＩＤフィールド９３４は、第３の基地局によって検出された、検出された発見情報を識別する情報、たとえば、デバイスＩＤ２を含む。信号電力情報フィールド９２６は、検出第３の基地局において測定された、発見情報を通信する受信されたピア発見信号の受信信号電力レベルを示す情報を含む。
【０１１４】
[0123]いくつかの例示的な実施形態によれば、１つの例示的な方法が以下のステップを実行することを含む。  
１．監視ＵＥが、たとえば、ＬＴＥ−Ｄｉｒｅｃｔ発見、を介してアナウンシングＵＥから特定のアプリケーション／サービスアナウンスメントに関する発見情報を検出する。  
２．監視ＵＥは、それのサービングｅノードＢに要求（スヌープＲＥＱ）を送り、その要求は、以下の情報、すなわち、（ａ）アナウンシングＵＥのサービスアナウンスメントが見つけられ得る、発見チャネルにおける特定のロケーションと、（ｂ）現在のおよび次の数個の発見サイクルにおいてアナウンシングＵＥによってアナウンスメントされるべき予想される「ピア発見情報」とを含む。たとえば、その要求は、ＬＴＥシステムのために定義される新しいＲＲＣメッセージであり得、いくつかの実施形態では、それである。サービング基地局（ｅノードＢ）は、たとえば、ＬＴＥシステムにおいて定義されるインターｅノードＢ  Ｘ２インターフェースを介して、近傍にある様々な近隣基地局に、アナウンシングＵＥの発見エクスプレッションの発見情報、たとえば、アプリケーション識別子とともにこの要求を中継する。  
３．その要求を受信するいずれかのｅノードＢが、次いで、予想される発見情報を検出するために発見チャネルを監視する。  
４．ｅノードＢの各々が、前のステップにおいて、指定された発見情報を聴取する場合、発見を確認する、およびアナウンシングＵＥによって送信された発見信号の信号強度を報告する、ＳＮＲ測定値を含む応答を監視ＵＥのサービングｅノードＢに返送する。  
５．サービングｅノードＢは、次いで、それらの受信されたＳＮＲ測定値を監視ＵＥに送る。監視ＵＥは、アナウンシングＵＥが、（１つまたは複数の）ｅノードＢによってカバーされる「近傍」のエリア内に依然としてあると決定することができる。いくつかの実施形態では、追加のロケーション追跡サービスが実行され得る。たとえば、監視ＵＥは、アナウンシングＵＥのロケーション近似値として、最も強い測定値をもつ１つのｅノードＢを選ぶことができる。いくつかの実施形態では、監視ＵＥは、様々な異なるｅノードＢからの応答において報告された信号強度に基づいてアナウンシングＵＥの位置を三角測量することができる。  
６．監視ＵＥが、ピアツーピア通信のためにアナウンシングＵＥに到達することを希望する場合、監視ＵＥは、アナウンシングＵＥに近いｅノードＢを介してアナウンシングピアに到達するためにＷＡＮ支援型ページングをトリガする。これは、ページングリソースの不要な使用を低減するのを助けることになる。
【０１１５】
[0124]いくつかの他の実施形態では、ロケーション決定は、ＳＮＲ測定値を含む受信された応答を使用して、監視ＵＥをサービスする基地局によって実行される。いくつかのそのような実施形態では、監視ＵＥのサービングｅノードＢは、アナウンシングＵＥのロケーションを決定するかまたはそのロケーションの近似値を求め、この情報を監視ＵＥに搬送して返すことができる。このようにして、監視ＵＥは、次いで、依然として、拡張された近傍にあるアナウンシングＵＥを発見することができる。
【０１１６】
[0125]いくつかの他の実施形態によれば、例示的な方法が以下のステップを含む。
【０１１７】
１．監視ＵＥは、たとえば、ＬＴＥ−Ｄｉｒｅｃｔ発見を介して、アナウンシングＵＥから特定のアプリケーション／サービスアナウンスメントに関する発見情報を検出する。
【０１１８】
２．監視ＵＥは、アナウンシングＵＥのアプリケーションエクスプレッションアナウンスメントを検出するのに十分な情報とともに、近傍にある様々な認識できる基地局にスヌープ要求を送る。
【０１１９】
３．その要求を受信する１つまたは複数の基地局（ｅノードＢ）が、予想される発見情報を検出するために発見チャネルを監視する。
【０１２０】
４．ｅノードＢは、指定された発見情報を聴取する場合、発見を確認する、およびアナウンシングＵＥによって送信された発見信号の信号強度を報告する、ＳＮＲ測定値を含む応答メッセージを返送する。
【０１２１】
５．受信された応答メッセージ中に含まれるＳＮＲ測定値から、監視ＵＥは、アナウンシングＵＥが、（１つまたは複数の）ｅノードＢによってカバーされる「近傍」のエリア内に依然としてあると決定する。いくつかの実施形態では、応答メッセージは、応答メッセージを送る基地局によって決定されたアナウンシングＵＥのロケーション情報をさらに含む。いくつかのそのような実施形態では、監視ＵＥは、アナウンシングＵＥをサービスする基地局を介してアナウンシングＵＥをページングするために、応答メッセージ中に含まれるロケーション情報を使用する。
【０１２２】
[0126]様々な実施形態の特徴によれば、信用モデルに基づいて要求メッセージ中の発見情報を識別するための様々な方法があり、たとえば、  
（ｉ）監視ＵＥが、要求がそれに送られている基地局を信用する場合、監視ＵＥは、必要なプレーンテキストと、ピア発見チャネルおよびページングチャネルにおいて対応する発見情報ビットおよびページング識別子を生成するための主要な情報とを含めて、元の発見情報、たとえば、アプリケーションエクスプレッションを基地局と共有することができる。  
（ｉｉ）プライバシーが問題である場合、ＵＥは、定義された持続時間（時間的）の間、対応する発見情報ビットおよびページング識別子を事前計算し、それを基地局に送られている要求メッセージにおいて使用することができる。このようにして、要求メッセージを受信する基地局は、擬似ランダムビットシーケンスを参照するにすぎないことになる。
【０１２３】
[0127]上記の説明について、多数の変形形態および実施形態が可能であることを理解されたい。たとえば、本方法および本装置はＬＴＥ実施形態に適用され得る。
【０１２４】
[0128]例示的な実施形態によれば、第１の通信デバイス、たとえば、ワイヤレス端末が、１つまたは複数の基地局にピアツーピア通信発見支援を要求することができる。その要求は、ワイヤレス端末をサービスするサービング基地局（ｅノードＢ）に送られ得るか、またはワイヤレス端末の範囲内の複数の近隣基地局に送られ得る。いくつかの実施形態では、ピアツーピア通信発見支援要求は、ワイヤレス端末が検出しようとしているピアツーピア通信発見情報、たとえば、第２の通信デバイスによってアナウンスメントされる発見情報、を識別する情報を含む。発見情報を監視するために基地局に要求を送る第１の通信デバイスは監視ＵＥ（ユーザ機器）とも呼ばれ、発見情報をアナウンシングした、たとえば、ブロードキャストした第２の通信デバイスはアナウンシングＵＥとも呼ばれる。いくつかの実施形態では、要求は、ワイドエリアネットワークアップリンク通信チャネルを介してワイヤレス端末からサービング基地局に送られる。したがって、様々な実施形態では、第１の通信デバイス、たとえば、監視ＵＥは、エクスプレッション監視能力を向上させるためにｅノードＢに支援を要求することができる。この手法は、共通発見チャネルにおける余分の送信を引き起こさず、ピアツーピア発見情報を送信しているアナウンシングピアの関与を制限する。
【０１２５】
[0129]例示的な実施形態の様々な特徴は、ＵＥからの監視機能を周囲の基地局（ｅノードＢ）をも含むように拡張する際に発見の信頼性を改善することによってＬＴＥ−Ｄｉｒｅｃｔを最適化する。したがって、いくつかの実施形態の１つの特徴によれば、近くのｅノードＢが、監視ＵＥの要求時に共通発見チャネルをスヌープ（リッスン）する。このようにして、アナウンシングＵＥに近い１つまたは複数の基地局（ｅノードＢ）が、ピアツーピア発見情報を送信したアナウンシングＵＥを発見することが可能であり得る。いくつかの実施形態の１つの特徴によれば、指定された発見情報を検出する基地局は、前記ピアツーピア通信発見情報の検出を示す応答を監視ＵＥおよび／または監視ＵＥをサービスする基地局に送る。
【０１２６】
[0130]監視ＵＥは、アナウンシングＵＥが監視ＵＥの直接発見範囲外にあるときでも、アナウンシングＵＥからの、たとえば、デバイス、アプリケーションエクスプレッション、サービスエクスプレッションなどの、発見を追跡し続けるために、このプロシージャを１回または複数回呼び出すことができる。いくつかの実施形態では、第１の通信デバイスは、たとえば、応答メッセージにおいて基地局によって測定および報告されたピア発見（ＰＤ）信号強度によって、第１の通信デバイスのピアのロケーション精度を改善するために、１つまたは複数の基地局からの要求に応答して受信された情報を使用することができる。例示的な実施形態の様々な特徴は、たとえば、応答に基づいて、第１の通信デバイスがそれを通してアナウンシングＵＥに到達することができる特定の基地局を決定することによって、ピアツーピア通信セットアップ時間を短縮することもある。
【０１２７】
[0131]様々な実施形態の技法は、ソフトウェア、ハードウェア、および／またはソフトウェアとハードウェアの組合せを使用して実装され得る。様々な実施形態は、装置、たとえば、モバイルワイヤレス端末などのモバイルノード、基地局、通信システムを対象とする。様々な実施形態はまた、方法、たとえば、通信デバイス、たとえば、ワイヤレス端末、基地局および／または通信システムを制御するおよび／または動作させる方法を対象とする。様々な実施形態はまた、方法の１つまたは複数のステップを実装するように機械を制御するための機械可読命令を含む、非一時的機械、たとえば、コンピュータ、可読媒体、たとえば、ＲＯＭ、ＲＡＭ、ＣＤ、ハードディスクなどを対象とする。
【０１２８】
[0132]開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１２９】
[0133]様々な実施形態では、本明細書で説明したノードは、１つまたは複数の方法に対応するステップ、たとえば、信号生成、処理、受信および／または送信のステップを実行するための１つまたは複数のモジュールを使用して実装される。したがって、いくつかの実施形態では、様々な特徴はモジュールを使用して実装される。そのようなモジュールは、ソフトウェア、ハードウェアまたはソフトウェアとハードウェアの組合せを使用して実装され得る。上記で説明した方法または方法ステップの多くは、たとえば１つまたは複数のノードにおいて、上記で説明した方法の全部または一部を実装するために、追加のハードウェアの有無にかかわらず、機械、たとえば汎用コンピュータを制御する、メモリデバイスなど、たとえば、ＲＡＭ、フロッピー（登録商標）ディスクなどの機械可読媒体中に含まれる、ソフトウェアなどの機械実行可能命令を使用して実装され得る。したがって、特に、様々な実施形態は、機械、たとえば、プロセッサおよび関連するハードウェアに、上記で説明した（１つまたは複数の）方法のステップのうちの１つまたは複数を実行することを行わせるための機械実行可能命令を含む機械可読媒体、たとえば、非一時的コンピュータ可読媒体を対象とする。いくつかの実施形態は、本発明の１つまたは複数の方法のステップのうちの１つ、複数、またはすべてを実装するように構成されたプロセッサを含むデバイス、たとえば、通信ノードを対象とする。
【０１３０】
[0134]いくつかの実施形態では、１つまたは複数のデバイス、たとえば、ワイヤレス端末（ＵＥ）、および／またはアクセスノードなど、通信デバイスの１つまたは複数のプロセッサ、たとえば、ＣＰＵは、通信ノードによって実行されるものとして説明した方法のステップを実行するように構成される。プロセッサの構成は、プロセッサ構成を制御するために１つまたは複数のモジュール、たとえば、ソフトウェアモジュールを使用することによって、ならびに／あるいは説明したステップを実行するため、および／またはプロセッサ構成を制御するためにハードウェア、たとえば、ハードウェアモジュールをプロセッサ中に含めることによって達成され得る。したがって、すべてとは限らないがいくつかの実施形態は、プロセッサが含まれるデバイスによって実行される様々な説明した方法のステップの各々に対応するモジュールを含むプロセッサをもつ通信デバイス、たとえば、ユーザ機器を対象とする。すべてとは限らないがいくつかの実施形態では、通信デバイスは、プロセッサが含まれるデバイスによって実行される様々な説明した方法のステップの各々に対応するモジュールを含む。それらのモジュールは、単にハードウェアで、たとえば、回路として実装され得るか、あるいはソフトウェアおよび／またはハードウェアまたはソフトウェアとハードウェアの組合せを使用して実装され得る。
【０１３１】
[0135]いくつかの実施形態は、１つのコンピュータ、または複数のコンピュータに、様々な機能、ステップ、行為、および／または動作、たとえば、上記で説明した１つまたは複数のステップを実装することを行わせるためのコードを備えるコンピュータ可読媒体を備えるコンピュータプログラム製品を対象とする。実施形態に応じて、コンピュータプログラム製品は、実行すべきステップごとに異なるコードを含むことができ、時には含む。したがって、コンピュータプログラム製品は、方法、たとえば、通信デバイス、たとえば、ワイヤレス端末またはノードを動作させる方法の各個のステップごとのコードを含み得、時には含む。コードは、ＲＡＭ（ランダムアクセスメモリ）、ＲＯＭ（読取り専用メモリ）または他のタイプの記憶デバイスなどのコンピュータ可読媒体上に記憶された機械実行可能命令、たとえば、コンピュータ実行可能命令の形態であり得る。コンピュータプログラム製品を対象とすることに加えて、いくつかの実施形態は、上記で説明した１つまたは複数の方法の様々な機能、ステップ、行為および／または動作のうちの１つまたは複数を実装するように構成されたプロセッサを対象とする。したがって、いくつかの実施形態は、本明細書で説明した方法のステップの一部または全部を実装するように構成されたプロセッサ、たとえばＣＰＵを対象とする。プロセッサは、たとえば、本出願で説明した通信デバイスまたは他のデバイス中で使用するためのものであり得る。
【０１３２】
[0136]ＯＦＤＭシステムに関して説明したが、様々な実施形態の方法および装置のうちの少なくともいくつかは、多くの非ＯＦＤＭおよび／または非セルラーシステムを含む広範囲の通信システムに適用可能である。
【０１３３】
[0137]上記の説明に鑑みて、上記で説明した様々な実施形態の方法および装置に関する多数の追加の変形形態が当業者には明らかであろう。そのような変形形態は範囲内に入ると考えるべきである。本方法および本装置は、ＣＤＭＡ、直交周波数分割多重（ＯＦＤＭ）、および／またはアクセスノードとモバイルノードとの間のワイヤレス通信リンクを与えるために使用され得る様々な他のタイプの通信技法とともに使用され得、様々な実施形態では、使用される。いくつかの実施形態では、アクセスノードは、ＯＦＤＭおよび／またはＣＤＭＡを使用してモバイルノードとの通信リンクを確立する基地局として実装される。様々な実施形態では、モバイルノードは、本方法を実装するための、受信機／送信機回路ならびに論理および／またはルーチンを含む、ノートブックコンピュータ、個人情報端末（ＰＤＡ）、または他のポータブルデバイスとして実装される。
以下に、本願の出願当初請求項に記載された発明を付記する。
［Ｃ１］
第１のワイヤレス端末を動作させる方法であって、
ワイドエリアネットワークアップリンク通信チャネルを介して、第１の基地局に、ピアツーピア通信発見支援を要求する要求を送ることと、ここで、前記要求は、前記第１のワイヤレス端末が検出しようとしているピアツーピア通信発見情報を識別する情報を含み、
ワイドエリアネットワークダウンリンク通信チャネルを介して、応答側基地局から、前記ピアツーピア通信発見情報の検出を示す前記要求に対する応答を受信することと
を備える、方法。
［Ｃ２］
前記要求が、前記ピアツーピア通信発見情報について監視されるべきである発見チャネルの一部分を示す情報をさらに含む、上記Ｃ１に記載の方法。
［Ｃ３］
前記要求が、前記第１のワイヤレス端末を識別する情報をさらに含み、前記情報が、前記第１のワイヤレス端末に応答を送る際に使用され得るデバイス識別子を含む、上記Ｃ２に記載の方法。
［Ｃ４］
前記ピアツーピア通信発見情報が、ピアデバイス発見情報およびサービス発見情報のうちの１つである、上記Ｃ２に記載の方法。
［Ｃ５］
前記応答側基地局は、前記要求が直接送信された基地局であるか、または前記要求が直接送信された基地局から前記要求を受信した基地局である、上記Ｃ１に記載の方法。
［Ｃ６］
前記応答が、前記ピアツーピア通信発見情報を検出した基地局を識別する、および前記ピアツーピア通信発見情報を通信する検出された発見信号の強度を示す信号強度情報をさらに含む、
上記Ｃ２に記載の方法。
［Ｃ７］
前記受信された応答から、前記ピアツーピア通信発見情報を通信する検出された発見信号を送信した第２のワイヤレス端末の近似のロケーションを決定すること
をさらに備える、上記Ｃ６に記載の方法。
［Ｃ８］
前記第１および第２のワイヤレス端末が直接デバイスツーデバイス通信をサポートし、前記方法が、
基地局支援型ページング動作を開始するために前記第１の基地局に信号を送ることをさらに備え、前記信号が、前記ピアツーピア通信発見情報を通信する前記発見信号を検出した前記基地局を介して前記第２のワイヤレス端末のページングをトリガする、上記Ｃ７に記載の方法。
［Ｃ９］
第１のワイヤレス端末であって、
ワイドエリアネットワークアップリンク通信チャネルを介して、第１の基地局に、ピアツーピア通信発見支援を要求する要求を送るための手段と、ここで、前記要求は、前記第１のワイヤレス端末が検出しようとしているピアツーピア通信発見情報を識別する情報を含み、
ワイドエリアネットワークダウンリンク通信チャネルを介して、応答側基地局から、前記ピアツーピア通信発見情報の検出を示す前記要求に対する応答を受信するための手段と
を備える、第１のワイヤレス端末。
［Ｃ１０］
前記要求を生成するための手段をさらに備え、前記要求を生成するための前記手段が、前記ピアツーピア通信発見情報について監視されるべきである発見チャネルの一部分を示す情報を前記要求中に含めるための手段を含む、
上記Ｃ９に記載の第１のワイヤレス端末。
［Ｃ１１］
前記要求を生成するための前記手段が、前記第１のワイヤレス端末を識別する情報を前記要求中に含めるための手段をさらに含み、前記情報が、前記第１のワイヤレス端末に応答を送る際に使用され得るデバイス識別子を含む、上記Ｃ１０に記載の第１のワイヤレス端末。
［Ｃ１２］
前記応答側基地局は、前記要求が直接送信された基地局であるか、または前記要求が直接送信された基地局から前記要求を受信した基地局である、上記Ｃ９に記載の第１のワイヤレス端末。
［Ｃ１３］
前記応答が、前記ピアツーピア通信発見情報を検出した基地局を識別する、および前記ピアツーピア通信発見情報を通信する検出された発見信号の強度を示す信号強度情報をさらに含む、
上記Ｃ１０に記載の第１のワイヤレス端末。
［Ｃ１４］
前記受信された応答から、前記ピアツーピア通信発見情報を通信する検出された発見信号を送信した第２のワイヤレス端末の近似のロケーションを決定するための手段
をさらに備える、上記Ｃ１３に記載の第１のワイヤレス端末。
［Ｃ１５］
前記第１および第２のワイヤレス端末が直接デバイスツーデバイス通信をサポートし、前記第１のワイヤレス端末が、
基地局支援型ページング動作を開始するために前記第１の基地局に信号を送るための手段をさらに備え、前記信号が、前記ピアツーピア通信発見情報を通信する前記発見信号を検出した前記基地局を介して前記第２のワイヤレス端末のページングをトリガする、上記Ｃ１４に記載の第１のワイヤレス端末。
［Ｃ１６］
第１のワイヤレス端末であって、
ワイドエリアネットワークアップリンク通信チャネルを介して、第１の基地局に、ピアツーピア通信発見支援を要求する要求を送ることと、ここで、前記要求は、前記第１のワイヤレス端末が検出しようとしているピアツーピア通信発見情報を識別する情報を含み、
ワイドエリアネットワークダウンリンク通信チャネルを介して、応答側基地局から、前記ピアツーピア通信発見情報の検出を示す前記要求に対する応答を受信することと
を行うように構成された少なくとも１つのプロセッサと、
前記少なくとも１つのプロセッサに結合されたメモリと
を備える、第１のワイヤレス端末。
［Ｃ１７］
前記応答が、前記ピアツーピア通信発見情報を検出した基地局を識別する、および前記ピアツーピア通信発見情報を通信する検出された発見信号の強度を示す信号強度情報をさらに含む、
上記Ｃ１６に記載の第１のワイヤレス端末。
［Ｃ１８］
前記少なくとも１つのプロセッサが、
前記受信された応答から、前記ピアツーピア通信発見情報を通信する検出された発見信号を送信した第２のワイヤレス端末の近似のロケーションを決定すること
を行うようにさらに構成された、上記Ｃ１７に記載の第１のワイヤレス端末。
［Ｃ１９］
前記第１および第２のワイヤレス端末が直接デバイスツーデバイス通信をサポートし、前記少なくとも１つのプロセッサが、
基地局支援型ページング動作を開始するために前記第１の基地局に信号を送ることを行うようにさらに構成され、前記信号が、前記ピアツーピア通信発見情報を通信する前記発見信号を検出した前記基地局を介して前記第２のワイヤレス端末のページングをトリガする、上記Ｃ１８に記載の第１のワイヤレス端末。
［Ｃ２０］
第１のワイヤレス端末において使用するためのコンピュータプログラム製品であって、
少なくとも１つのコンピュータに、ワイドエリアネットワークアップリンク通信チャネルを介して、第１の基地局に、ピアツーピア通信発見支援を要求する要求を送ることを行わせるためのコードと、ここで、前記要求は、前記第１のワイヤレス端末が検出しようとしているピアツーピア通信発見情報を識別する情報を含み、
前記少なくとも１つのコンピュータに、ワイドエリアネットワークダウンリンク通信チャネルを介して、応答側基地局から、前記ピアツーピア通信発見情報の検出を示す前記要求に対する応答を受信することを行わせるためのコードと
を備える非一時的コンピュータ可読媒体
を備える、コンピュータプログラム製品。
【図１】
0006284936.tif 000002
【図２】
0006284936.tif 000003
【図３】
0006284936.tif 000004
【図４】
0006284936.tif 000005
【図５】
0006284936.tif 000006
【図６】
0006284936.tif 000007
【図７】
0006284936.tif 000008
【図８】
0006284936.tif 000009
【図９】
0006284936.tif 000010
【図１０】
0006284936.tif 000011